(57)【要約】【課題】チャネル状態情報（ＣＳＩ）を送信または受信する方法および装置を提供する。【解決手段】本発明によれば、ユーザ機器がサービングセル別に一つまたは複数のＣＳＩプロセスで設定可能な場合、特定のサービングセルに関する下りリンク制御情報に含まれるＣＳＩ要求フィールドは、前記ＣＳＩ要求フィールドによってトリガされる非周期的ＣＳＩ報告が前記一つのサービングセルに対するＣＳＩプロセスのうち、上位層によって設定された一連（set）のＣＳＩプロセスに対してトリガされるか否かを少なくとも示す。【選択図】図１１
2015519855.tif 000002
【特許請求の範囲】
【請求項１】
ユーザ機器がＣＳＩを送信する方法であって、
特定のサービングセルに関する下りリンク制御情報を受信するステップであって、前記下りリンク制御情報はＣＳＩ要求フィールドを有する、ステップと、
前記特定のサービングセルのＰＵＳＣＨ上で非周期的ＣＳＩ報告を行うステップと、を有し、
前記非周期的ＣＳＩ報告は、前記ＣＳＩ要求フィールドによってトリガされ、
前記ユーザ機器がサービングセル別に一つまたは複数のＣＳＩプロセスによって設定可能な場合、前記ＣＳＩ要求フィールドは、前記非周期的ＣＳＩ報告が、前記一つのサービングセルに対するＣＳＩプロセスのうち上位層によって設定された一連のＣＳＩプロセスに対してトリガされるか否かを示す、方法。
【請求項２】
前記ＣＳＩ要求フィールドは、２ビットである、請求項１に記載の方法。
【請求項３】
前記ユーザ機器は、前記特定のサービングセルを有する複数のサービングセルを有して構成され、
前記ユーザ機器が、前記複数のサービングセルのうち少なくとも一つに対して複数のＣＳＩプロセスを構成可能なモードとして設定された場合、前記ＣＳＩ要求フィールドは、前記非周期的ＣＳＩ報告が前記一連のＣＳＩプロセスに対してトリガされるか否かを示す、請求項１または２に記載の方法。
【請求項４】
前記一連のＣＳＩプロセスのそれぞれは、信号測定のための一つのＣＳＩ参照リソースおよび干渉測定のための一つの干渉測定リソースと関連付けられる、請求項１乃至３のいずれか一項に記載の方法。
【請求項５】
基地局がＣＳＩを受信する方法であって、
ユーザ機器に特定のサービングセルに関する下りリンク制御情報を送信するステップであって、前記下りリンク制御情報はＣＳＩ要求フィールドを有する、ステップと、
前記特定のサービングセルのＰＵＳＣＨ上で非周期的ＣＳＩ報告を受信するステップと、を有し、
前記非周期的ＣＳＩ報告は、前記ＣＳＩ要求フィールドによってトリガされ、
前記ユーザ機器がサービングセル別に一つまたは複数のＣＳＩプロセスによって設定可能な場合、前記ＣＳＩ要求フィールドは、前記非周期的ＣＳＩ報告が、前記一つのサービングセルに対するＣＳＩプロセスのうち上位層によって設定された一連のＣＳＩプロセスに対してトリガされるか否かを示す、方法。
【請求項６】
前記ＣＳＩ要求フィールドは、２ビットである、請求項５に記載の方法。
【請求項７】
前記ユーザ機器は、前記特定のサービングセルを有する複数のサービングセルを有して構成され、
前記ユーザ機器が、前記複数のサービングセルのうち少なくとも一つに対して複数のＣＳＩプロセスを構成可能なモードとして設定された場合、前記ＣＳＩ要求フィールドは、前記非周期的ＣＳＩ報告が前記一連のＣＳＩプロセスに対してトリガされるか否かを示す、請求項５または６に記載の方法。
【請求項８】
前記一連のＣＳＩプロセスのそれぞれは、信号測定のための一つのＣＳＩ参照リソースおよび干渉測定のための一つの干渉測定リソースと関連付けられる、請求項５乃至７のいずれか一項に記載の方法。
【請求項９】
ＣＳＩを送信するユーザ機器であって、
ＲＦユニットと、
前記ＲＦユニットを制御するように構成されたプロセッサと、を有し、
前記プロセッサは、
特定のサービングセルに関する下りリンク制御情報を受信するように前記ＲＦユニットを制御するように構成され、前記下りリンク制御情報はＣＳＩ要求フィールドを有し、
前記特定のサービングセルのＰＵＳＣＨ上で非周期的ＣＳＩ報告を行うように前記ＲＦユニットを制御するように構成され、
前記非周期的ＣＳＩ報告は、前記ＣＳＩ要求フィールドによってトリガされ、
前記ユーザ機器がサービングセル別に一つまたは複数のＣＳＩプロセスによって設定可能な場合、前記ＣＳＩ要求フィールドは、前記非周期的ＣＳＩ報告が、前記一つのサービングセルに対するＣＳＩプロセスのうち上位層によって設定された一連のＣＳＩプロセスに対してトリガされるか否かを示す、ユーザ機器。
【請求項１０】
前記ＣＳＩ要求フィールドは、２ビットである、請求項９に記載のユーザ機器。
【請求項１１】
前記ユーザ機器は、前記特定のサービングセルを有する複数のサービングセルを有して構成され、
前記ユーザ機器が、前記複数のサービングセルのうち少なくとも一つに対して複数のＣＳＩプロセスを構成可能なモードとして設定された場合、前記ＣＳＩ要求フィールドは、前記非周期的ＣＳＩ報告が前記一連のＣＳＩプロセスに対してトリガされるか否かを示す、請求項９または１０に記載のユーザ機器。
【請求項１２】
前記一連のＣＳＩプロセスのそれぞれは、信号測定のための一つのＣＳＩ参照リソースおよび干渉測定のための一つの干渉測定リソースと関連付けられる、請求項９乃至１１のいずれか一項に記載のユーザ機器。
【請求項１３】
ＣＳＩを受信する基地局であって、
ＲＦユニットと、
前記ＲＦユニットを制御するように構成されたプロセッサと、を有し、
前記プロセッサは、
ユーザ機器に特定のサービングセルに関する下りリンク制御情報を送信するように前記ＲＦユニットを制御するように構成され、前記下りリンク制御情報はＣＳＩ要求フィールドを有し、
前記特定のサービングセルのＰＵＳＣＨ上で非周期的ＣＳＩ報告を受信するように前記ＲＦユニットを制御するように構成され、
前記非周期的ＣＳＩ報告は、前記ＣＳＩ要求フィールドによってトリガされ、
前記ユーザ機器がサービングセル別に一つまたは複数のＣＳＩプロセスによって設定可能な場合、前記ＣＳＩ要求フィールドは、前記非周期的ＣＳＩ報告が、前記一つのサービングセルに対するＣＳＩプロセスのうち上位層によって設定された一連のＣＳＩプロセスに対してトリガされるか否かを示す、基地局。
【請求項１４】
前記ＣＳＩ要求フィールドは、２ビットである、請求項１３に記載の基地局。
【請求項１５】
前記一連のＣＳＩプロセスのそれぞれは、信号測定のための一つのＣＳＩ参照リソースおよび干渉測定のための一つの干渉測定リソースと関連付けられる、請求項１３または１４に記載の基地局。
【発明の詳細な説明】
【技術分野】
【０００１】
本発明は、無線通信システムに関し、チャネル状態情報を送信もしくは受信する方法および装置に関する。
【背景技術】
【０００２】
機器間（Machine-to-Machine；Ｍ２Ｍ）通信と、大量のデータ伝送を要求するスマートフォン、タブレットＰＣなどの様々な装置および技術が出現および普及している。これに伴い、セルラ網で処理されることが要求されるデータ量も急増している。このように急増しているデータ処理要求量を満たすために、より多い周波数帯域を效率的に用いるためのキャリアアグリゲーション（carrier aggregation）技術、コグニティブ無線（cognitive radio）技術などと、限定された周波数内で送信されるデータ容量を高めるための多重アンテナ技術、複数基地局連携技術（multi-base station cooperation technology）などと、が発展している。
【０００３】
一般の無線通信システムは、一つの下りリンク（DownLink；ＤＬ）帯域とそれに対応する一つの上りリンク（UpLink；ＵＬ）帯域を通じてデータ送／受信を行ったり（周波数分割二重通信（Frequency Division Duplex；ＦＤＤ）モードの場合）、所定の無線フレーム（Radio Frame）を時間ドメイン（time domain）で上りリンク時間ユニットと下りリンク時間ユニットとに区別し、上り／下りリンク時間ユニットを通じてデータ送／受信を行う（時分割二重通信（Time Division Duplex；ＴＤＤ）モードの場合）。基地局（Base Station；ＢＳ）およびユーザ機器（User Equipment；ＵＥ）は、所定の時間ユニット、例えば、サブフレーム（SubFrame；ＳＦ）単位でスケジュールされたデータおよび／または制御情報を送受信する。データは、上り／下りリンクサブフレームに設定されたデータ領域を通じて送受信され、制御情報は、上り／下りリンクサブフレームに設定された制御領域を通じて送受信される。そのために、無線信号を運ぶ様々な物理チャネルが上り／下りリンクサブフレームに設定される。これに対し、キャリアアグリゲーション技術は、より広い周波数帯域を用いるために、複数の上り／下りリンク周波数ブロックを集めてより大きい上り／下りリンク帯域幅を用い、これによって、単一搬送波が用いられる場合に比べてより多量の信号を同時に処理することができる。
【０００４】
一方、ユーザ機器が周辺でアクセスできるノード（node）の密度が高まる方向に通信環境が進展している。ノードとは、一つまたは複数のアンテナを備え、ユーザ機器と無線信号を送／受信できる固定した地点（point）のことをいう。高い密度のノードを備えている通信システムは、ノード同士の協調によってより高い性能の通信サービスをユーザ機器に提供することができる。
【０００５】
複数のノードで同一の時間−周波数リソースを用いてユーザ機器と通信を行う複数ノード連携通信方式は、各ノードが独立した基地局として動作して相互に協調しないでユーザ機器と通信を行う既存の通信方式と比べて、データ処理量において遥かに優れた性能を有する。
【０００６】
多重ノードシステムは、各ノードが基地局、アクセスポイント、アンテナ、アンテナグループ、無線リモートヘッド（Radio Remote Header；ＲＲＨ）または無線リモートユニット（Radio Remote Unit；ＲＲＵ）として動作する複数のノードを用いて、協調通信を行うことができる。また、複数のノードが同時に信号送信または信号受信に直接参加しないとしても、それらの複数のノードが相互に及ぼす信号干渉を減らしながらそれぞれの信号送信／受信を行うことができるため、通信システム全体の処理量を増大させることもできる。
【０００７】
アンテナが基地局に集中して位置する既存の中央集中型アンテナシステムとは違い、多重ノードシステムにおいて、複数のノードは、通常、一定の間隔以上離れて位置する。これらの複数のノードは、各ノードの動作を制御したり、各ノードを介して送／受信されるデータをスケジュールする一つまたは複数の基地局または基地局コントローラ（controller）によって管理されてもよい。各ノードは、当該ノードを管理する基地局または基地局コントローラとケーブルまたは専用回線（dedicated line）とを介して接続される。
【０００８】
このような多重ノードシステムは、分散しているノードが同時に異なったストリームを送／受信して単一または複数のユーザ機器と通信できるという点で、一種の多入力多出力（Multiple Input Multiple Output；ＭＩＭＯ）システムと見なすことができる。ただし、多重ノードシステムは、様々な位置に分散しているノードを用いて信号を送信することから、既存の中央集中型アンテナシステムに備えられたアンテナに比べて、各アンテナがカバーすべき送信領域が縮小する。そのため、中央集中型アンテナシステムでＭＩＭＯ技術を具現した既存のシステムに比べて、多重ノードシステムでは、各アンテナが信号を送信するために必要な送信電力が減少する。また、アンテナとユーザ機器との間の伝送距離が短縮するため、経路損失が低減し、データの高速送信が可能になる。これによって、セルラシステムの送信容量および電力効率が向上し、セル内のユーザ機器の位置に関わらずに、相対的に均一な品質の通信性能を満たすことができる。また、多重ノードシステムでは、複数のノードに接続した基地局または基地局コントローラが、データ送信／受信で協調するため、送信過程で発生する信号損失が減少する。また、一定の距離以上離れて位置しているノードがユーザ機器と協調通信を行う場合、アンテナ同士の相関度（correlation）および干渉が低減する。そのため、複数ノード連携通信方式によれば、高い信号対雑音比（Signal To Interference-Plus-Noise Ratio；ＳＩＮＲ）を得ることができる。
【０００９】
このような多重ノードシステムのメリットから、次世代移動通信システムでは、基地局の増設コストとバックホール（backhaul）網のメンテナンスコストとを減らすのと同時に、サービスカバレッジの拡大とチャネル容量およびＳＩＮＲの向上とを図るために、多重ノードシステムが、既存の中央集中型アンテナシステムと併せてまたは代えて、セルラ通信の新しい基盤として台頭している。
【発明の概要】
【発明が解決しようとする課題】
【００１０】
今までの通信は、主に、単一ノードとユーザ機器との間で単一搬送波を用いてなされたため、ユーザ機器がチャネル状態を報告する方式も単一搬送波および単一ノードを基準に確立されてきた。複数の搬送波がユーザ機器のための通信に用いられる状況および／または複数のノードが協調してユーザ機器に通信サービスを提供または協調する状況を考慮した新しいチャネル状態報告方式が望まれる。
【００１１】
本発明が達成しようとする技術的課題は、以上で言及した技術的課題に制限されず、言及していない別の技術的課題は、以下の発明の詳細な説明から、本発明の属する技術分野における通常の知識を有する者には明確に理解されるであろう。
【課題を解決するための手段】
【００１２】
本発明の一態様として、ユーザ機器がチャネル状態情報（Channel State Information；ＣＳＩ）を送信する方法であって、特定のサービングセルに関する下りリンク制御情報を受信するステップであって、上記下りリンク制御情報はＣＳＩ要求フィールドを有する、ステップと、上記特定のサービングセルの物理上りリンク共有チャネル（Physical Uplink Shared CHannel；ＰＵＳＣＨ）上で非周期的ＣＳＩ報告（CSI report）を行うステップと、を有し、上記非周期的ＣＳＩ報告は、上記ＣＳＩ要求フィールドによりトリガされる、チャネル状態送信方法が提供される。上記ユーザ機器がサービングセル別に一つまたは複数のＣＳＩプロセス（process）によって設定可能な場合、上記ＣＳＩ要求フィールドは、上記非周期的ＣＳＩ報告が上記一つのサービングセルに対するＣＳＩプロセスのうち、上位層によって設定された一連（set）のＣＳＩプロセスに対してトリガされるか否かを示すことができる。
【００１３】
本発明の他の態様として、基地局がチャネル状態情報（Channel State Information、ＣＳＩ）を受信する方法であって、ユーザ機器に特定のサービングセルに関する下りリンク制御情報を送信するステップであって、上記下りリンク制御情報はＣＳＩ要求フィールドを有する、ステップと、上記特定のサービングセルの物理上りリンク共有チャネル（Physical Uplink Shared CHannel；ＰＵＳＣＨ）上で非周期的ＣＳＩ報告（CSI report）を受信するステップと、を有し、上記非周期的ＣＳＩ報告は、上記ＣＳＩ要求フィールドによってトリガされる、チャネル状態受信方法が提供される。
【００１４】
本発明の更に他の態様として、チャネル状態情報（Channel State Information；ＣＳＩ）を送信するユーザ機器であって、無線周波数（Radio Frequency；ＲＦ）ユニットと、上記ＲＦユニットを制御するように構成されたプロセッサと、を有し、上記プロセッサは、特定のサービングセルに関する下りリンク制御情報を受信するように上記ＲＦユニットを制御するように構成され、上記下りリンク制御情報はＣＳＩ要求フィールドを有し、上記特定のサービングセルの物理上りリンク共有チャネル（Physical Uplink Shared CHannel、ＰＵＳＣＨ）上で非周期的ＣＳＩ報告（CSI report）を行うように上記ＲＦユニットを制御するように構成され、上記非周期的ＣＳＩ報告は、上記ＣＳＩ要求フィールドによってトリガされる、ユーザ機器が提供される。
【００１５】
本発明の更に他の態様として、チャネル状態情報（Channel State Information；ＣＳＩ）を受信する 基地局であって、無線周波数（Radio Frequency；ＲＦ）ユニットと、上記ＲＦユニットを制御するように構成されたプロセッサと、を有し、上記プロセッサは、ユーザ機器に特定のサービングセルに関する下りリンク制御情報を送信するように上記ＲＦユニットを制御するように構成され、上記下りリンク制御情報はＣＳＩ要求フィールドを有し、上記特定のサービングセルの物理上りリンク共有チャネル（Physical Uplink Shared CHannel；ＰＵＳＣＨ）上で非周期的ＣＳＩ報告（CSI report）を受信するように上記ＲＦユニットを制御するように構成され、上記非周期的ＣＳＩ報告は、上記ＣＳＩ要求フィールドによってトリガされる、基地局が提供される。
【００１６】
本発明の各態様において、上記ＣＳＩ要求フィールドは２ビットであってもよい。
【００１７】
本発明の各態様において、上記ユーザ機器は、上記特定のサービングセルを有する複数のサービングセルとして構成されてもよい。上記ユーザ機器が、上記複数のサービングセルのうち少なくとも一つに対して複数のＣＳＩプロセスを構成可能なモードとして設定された場合、上記ＣＳＩ要求フィールドは、上記非周期的ＣＳＩ報告が上記一連（set）のＣＳＩプロセスに対してトリガされるか否かを示すことができる。
【００１８】
本発明の各態様において、上記一連のＣＳＩプロセスのそれぞれは、信号測定のための一つのＣＳＩ参照リソース（CSI reference resource）および干渉測定のための一つの干渉測定リソース（interference measurement resource）と関連付けられる。
【００１９】
本発明の各態様において、上記ユーザ機器は、上記ＣＳＩ要求フィールドをユーザ機器固有探索空間内で受信することができる。
【００２０】
上記課題解決手段は、本発明の実施例の一部に過ぎず、本願発明の技術的特徴が反映された様々な実施例が、当該技術分野における通常の知識を有する者にとって、以下に詳述する本発明の詳細な説明から導出されて理解されるであろう。
【発明の効果】
【００２１】
本発明によれば、複数の搬送波がユーザ機器に設定される状況および／または複数のノードがユーザ機器の通信に関与する状況下で、ＣＳＩ報告の正確性を強化させることができる。
【００２２】
本発明による効果は、以上で言及した効果に制限されず、言及していない別の効果は、以下の発明の詳細な説明から、本発明の属する技術分野における通常の知識を有する者に明確に理解されるであろう。
【図面の簡単な説明】
【００２３】
【図１】無線通信システムで用いられる無線フレーム構造の一例を示す図である。
【図２】無線通信システムで下りリンク／上りリンク（ＤＬ／ＵＬ）スロットの構造の一例を示す図である。
【図３】同期信号（Synchronization Signal；ＳＳ）の送信のための無線フレームの構造を例示する図である。
【図４】２次同期信号（Secondary Synchronization Signal；ＳＳＳ）の生成方式を説明するための図である。
【図５】無線通信システムで用いられる下りリンクサブフレーム（subframe）の構造を例示する図である。
【図６】セル固有参照信号（Cell Specific Reference Signal；ＣＲＳ）を例示する図である。
【図７】チャネル状態情報参照信号（Channel State Information Reference Signal；ＣＳＩ−ＲＳ）の設定（configuration）を例示する図である。
【図８】無線通信システムで用いられる上りリンク（UpLink；ＵＬ）サブフレームの構造の一例を示す図である。
【図９】単一搬送波通信および多重搬送波通信を説明するための図である。
【図１０】キャリアアグリゲーション（carrier aggregation）をサポートするシステムにおけるセル（cell）の状態を例示する図である。
【図１１】キャリアアグリゲーションおよび協調マルチポイント（Coordinated Multi-Point transmission/reception；ＣｏＭＰ）環境によって設定可能なリンクを例示する図である。
【図１２】本発明の一実施例を説明する図である。
【図１３】本発明の他の実施例を説明する図である。
【図１４】本発明を実行する送信装置１０および受信装置２０の構成要素を示すブロック図である。
【発明を実施するための形態】
【００２４】
本発明に関する理解を助けるために詳細な説明の一部として含まれる添付図面は、本発明に関する実施例を提供し、詳細な説明と共に本発明の技術的思想を説明する。
【００２５】
以下、本発明に係る好適な実施の形態を、添付の図面を参照して詳しく説明する。添付の図面と共に以下に開示される詳細な説明は、本発明の例示的な実施形態を説明するためのもので、本発明が実施され得る唯一の実施形態を示すためのものではない。以下の詳細な説明は、本発明の完全な理解を提供するために具体的細部事項を含む。しかし、本発明がこのような具体的細部事項を伴わずに実施されてもよいことが当業者には理解できる。
【００２６】
また、以下に説明する技法（technique）、装置およびシステムは、様々な無線多元接続システムに適用することができる。多元接続システムの例には、符号分割多元接続（Code Division Multiple Access；ＣＤＭＡ）システム、周波数分割多元接続（Frequency Division Multiple Access；ＦＤＭＡ）システム、時分割多元接続（Time Division Multiple Access；ＴＤＭＡ）システム、直交周波数分割多元接続（Orthogonal Frequency Division Multiple Access；ＯＦＤＭＡ）システム、単一搬送波周波数分割多元接続（Single Carrier Frequency Division Multiple Access；ＳＣ−ＦＤＭＡ）システム、多搬送波周波数分割多元接続（Multi Carrier Frequency Division Multiple Access；ＭＣ−ＦＤＭＡ）システムなどがある。ＣＤＭＡは、ユニバーサル地上無線アクセス（Universal Terrestrial Radio Access；ＵＴＲＡ）またはＣＤＭＡ２０００などの無線技術（technology）によって具現することができる。ＴＤＭＡは、世界移動体通信システム（Global System for Mobile communication；ＧＳＭ（登録商標））、汎用パケット無線サービス（General Packet Radio Service；ＧＰＲＳ）、発展型ＧＳＭ用拡張データレート（Enhanced Data rates for GSM Evolution；ＥＤＧＥ）などの無線技術によって具現することができる。ＯＦＤＭＡは、米国電気電子学会（Institute of Electrical and Electronics Engineers；ＩＥＥＥ）  ８０２．１１（Ｗｉ−Ｆｉ）、ＩＥＥＥ ８０２．１６（ＷｉＭＡＸ）、ＩＥＥＥ８０２−２０、発展型ＵＴＲＡ（Evolved-UTRA；Ｅ−ＵＴＲＡ）などの無線技術によって具現することができる。ＵＴＲＡは、ユニバーサル移動電話システム（Universal Mobile Telecommunication System；ＵＭＴＳ）の一部であり、第３世代パートナーシッププロジェクト（3rd Generation Partnership Project；３ＧＰＰ）ロングタームエボリューション（Long Term Evolution；ＬＴＥ）は、Ｅ−ＵＴＲＡを用いるＥ−ＵＭＴＳの一部である。３ＧＰＰ ＬＴＥは、下りリンク（ＤＬ）ではＯＦＤＭＡを採択し、上りリンク（ＵＬ）ではＳＣ−ＦＤＭＡを採択している。ＬＴＥアドバンスト（LTE-advanced；ＬＴＥ−Ａ）は、３ＧＰＰ ＬＴＥの進展した形態である。説明の便宜のために、以下では、本発明が３ＧＰＰ ＬＴＥ／ＬＴＥ−Ａに適用される場合を仮定して説明する。しかし、本発明の技術的特徴がこれに制限されるものではない。例えば、以下の詳細な説明は、移動通信システムが３ＧＰＰ ＬＴＥ／ＬＴＥ−Ａシステムに対応する移動通信システムに基づいて説明されても、３ＧＰＰ ＬＴＥ／ＬＴＥ−Ａ特有の事項以外は、他の任意の移動通信システムに適用されてもよい。
【００２７】
場合によって、本発明の概念が曖昧になることを避けるために、公知の構造および装置は省略されてもよく、各構造および装置の核心機能を中心にしたブロック図の形式で図示されてもよい。また、本明細書全体を通じて同一の構成要素については同一の図面符号を付して説明する。
【００２８】
本発明において、ユーザ機器（User Equipment；ＵＥ）は、固定していてもよく、移動性を有してもよい。また、ユーザ機器には、基地局（Base Station；ＢＳ）と通信してユーザデータおよび／または各種の制御情報を送受信する各種の機器が含まれる。ＵＥは、端末（Terminal Equipment；ＴＥ）、移動局（Mobile Station；ＭＳ）、移動端末（Mobile Terminal；ＭＴ）、ユーザ端末（User Terminal；ＵＴ）、加入者局（Subscribe Station；ＳＳ）、無線機器（wireless device）、携帯情報端末（Personal Digital Assistant；ＰＤＡ）、無線モデム（wireless modem）、携帯機器（handheld device）などと呼ぶことができる。また、本発明において、ＢＳは、一般に、ＵＥおよび／または他のＢＳと通信する固定局（fixed station）のことを指し、ＵＥおよび他のＢＳと通信して各種のデータおよび制御情報を交換する。ＢＳは、高度基地局（Advanced Base Station；ＡＢＳ）、ノードＢ（Node-B；ＮＢ）、発展型ノードＢ（evolved-NodeB；ｅＮＢ）、無線基地システム（Base Transceiver System；ＢＴＳ）、アクセスポイント（Access Point；ＡＰ）、処理サーバ（Processing Server；ＰＳ）などと呼ぶこともできる。以下の本発明に関する説明では、ＢＳをｅＮＢと総称する。
【００２９】
本発明でいうノード（node）とは、ＵＥと通信して無線信号を送信／受信できる固定した地点（point）を指す。様々な形態のｅＮＢをその名称を問わずノードとして用いることができる。例えば、ＢＳ、ＮＢ、ｅＮＢ、ピコ−セルｅＮＢ（PeNB）、ホームｅＮＢ（HeNB）、リレー、リピータなどをノードとすることができる。また、ノードは、ｅＮＢでなくてもよい。例えば、無線リモートヘッド（Radio Remote Head；ＲＲＨ）、無線リモートユニット（Radio Remote Unit；ＲＲＵ）であってもよい。ＲＲＨ、ＲＲＵなどは一般にｅＮＢの電力レベル（power level）よりも低い電力レベルを有する。ＲＲＨまたはＲＲＵ（以下、ＲＲＨ／ＲＲＵ）は、一般に、光ケーブルなどの専用回線（dedicated line）でｅＮＢに接続されており、よって、一般に無線回線で接続されているｅＮＢによる協調通信に比べて、ＲＲＨ／ＲＲＵとｅＮＢとによる協調通信を円滑に行うことができる。一つのノードには少なくとも一つのアンテナが設置される。このアンテナは、物理アンテナを意味することもでき、アンテナポート、仮想アンテナ、またはアンテナグループを意味することもできる。ノードはポイント（point）と呼ばれることもある。多重ノードシステムにおいて、複数のノードへの／からの信号の送信／受信には同一のセル識別子（IDentity；ＩＤ）が用いられてもよく、互いに異なるセルＩＤが用いられてもよい。複数のノードが同一のセルＩＤを有する場合、これらの複数のノードのそれぞれは、一つのセルの一部のアンテナ集団のように動作する。多重ノードシステムにおいてノードが互いに異なるセルＩＤを有する場合、このような多重ノードシステムは、多重セル（例えば、マクロ−セル／フェムト−セル／ピコ−セル）システムと見なすことができる。複数のノードのそれぞれが形成した多重セルが、カバレッジがオーバーレイ（overlay）する形態で構成される場合、これらの多重セルが形成したネットワークを特に多重−階層（multi-tier）ネットワークと呼ぶ。ＲＲＨ／ＲＲＵのセルＩＤとｅＮＢのセルＩＤとは同一であっても、異なってもよい。ＲＲＨ／ＲＲＵとｅＮＢとが互いに異なるセルＩＤを用いる場合、ＲＲＨ／ＲＲＵとｅＮＢとはいずれも独立した基地局として動作する。
【００３０】
多重ノードシステムにおいて、複数のノードに接続した一つまたは複数のｅＮＢまたはｅＮＢコントローラが、上記複数のノードの一部またはすべてを介してＵＥに同時に信号を送信または受信するように、上記複数のノードを制御することができる。各ノードの実体、各ノードの具現の形態などによって、多重ノードシステム間には差異が存在するが、複数のノードが共に所定の時間−周波数リソース上でＵＥに通信サービスを提供するために参加するという点で、これらの多重ノードシステムは単一ノードシステム（例えば、ＣＡＳ、従来のＭＩＭＯシステム、従来の中継システム、従来のリピータシステムなど）と異なる。そのため、複数のノードの一部またはすべてを用いてデータ協調送信を行う方法に関する本発明の実施例は、種々の多重ノードシステムに適用可能である。例えば、ノードとは、通常、他のノードと一定の間隔以上離れて位置しているアンテナグループを指すが、後述する本発明の実施例は、ノードが間隔にかかわらずに任意のアンテナグループを意味する場合にも適用することができる。例えば、クロス偏極（Cross polarized；Ｘ−ｐｏｌ）したアンテナを備えたｅＮＢの場合、該ｅＮＢが、Ｈ−ｐｏｌアンテナで構成されたノードとＶ−ｐｏｌアンテナで構成されたノードとを制御すると見なして、本発明の実施例を適用することができる。
【００３１】
複数の送信（Ｔｘ）／受信（Ｒｘ）ノードを介して信号を送信／受信したり、複数の送信／受信ノードから選択された少なくとも一つのノードを介して信号を送信／受信したり、下りリンク信号を送信するノードと上りリンク信号を受信するノードとを別にし得る通信技法を、多重−ｅＮＢ ＭＩＭＯまたは協調マルチポイント（Coordinated Multi-Point transmission/reception；ＣｏＭＰ）という。このようなノード間協調通信のうち、協調送信技法は、結合処理（Joint Processing；ＪＰ）とスケジューリング協調（scheduling coordination）とに区別することができる。前者は、結合送信（Joint Transmission；ＪＴ）／結合受信（Joint Reception；ＪＲ）と動的ポイント選択（Dynamic Point Selection；ＤＰＳ）とに区別し、後者は、協調スケジュール（Coordinated Scheduling；ＣＳ）と協調ビームフォーミング（Coordinated Beamforming；ＣＢ）とに区別することができる。ＤＰＳは、動的セル選択（Dynamic Cell Selection；ＤＣＳ）と呼ぶこともできる。他の協調通信技法に比べて、ノード間協調通信技法のＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、上記複数のノードから受信した信号を合成して上記ストリームを復元する。ＪＴ／ＪＲでは、同一のストリームが複数のノードから／に送信されるため、送信ダイバーシチ（diversity）によって信号送信の信頼度を向上させることができる。ＪＰのＤＰＳは、複数のノードから特定の規則によって選択された一つのノードを介して信号が送信／受信される通信技法をいう。ＤＰＳでは、通常、ＵＥとノードとの間のチャネル状態の良いノードが通信ノードとして選択されるはずであるため、信号送信の信頼度を向上させることができる。
【００３２】
本発明でいうセル（cell）とは、一つまたは複数のノードが通信サービスを提供する一定の地理的領域をいう。そのため、本発明で特定のセルと通信するということは、特定のセルに通信サービスを提供するｅＮＢまたはノードと通信することを意味できる。また、特定のセルの下りリンク／上りリンク信号は、該特定のセルに通信サービスを提供するｅＮＢまたはノードからの／への下りリンク／上りリンク信号を意味する。ＵＥに上り／下りリンク通信サービスを提供するノードをサービング（serving）ノードといい、サービングノードによって上り／下りリンク通信サービスが提供されるセルを特にサービングセル（serving cell）という。また、特定のセルのチャネル状態／品質は、該特定のセルに通信サービスを提供するｅＮＢまたはノードとＵＥとの間に形成されたチャネルまたは通信リンクのチャネルの状態／品質を意味する。また、干渉セル（interfering cell）とは、特定のセルに干渉を及ぼすセルを意味する。すなわち、隣接セルの信号が特定のセルの信号に干渉を及ぼす場合、該隣接セルは上記特定のセルに対して干渉セルになり、上記特定のセルは上記隣接セルに対して被干渉セル（victim cell）になる。このように、隣接するセルが互いにまたは一方的に干渉を及ぼす場合、このような干渉をセル間干渉（Inter-Cell Interference；ＩＣＩ）と呼ぶ。ＬＴＥ／ＬＴＥ−Ａベースのシステムにおいて、ＵＥは、特定のノードからの下りリンクチャネル状態を、上記特定のノードのアンテナポートが上記特定のノードに割り当てられたセル固有参照信号（Cell-specific Reference Signal；ＣＲＳ）リソース上で送信するＣＲＳおよび／またはチャネル状態情報参照信号（Channel State Information Reference SignalＣＳＩ−ＲＳ）リソース上で送信されるＣＳＩ−ＲＳを用いて測定することができる。一方、３ＧＰＰ ＬＴＥ／ＬＴＥ−Ａシステムは、無線リソースを管理するためにセル（cell）の概念を用いているが、無線リソースと関連付けられたセルは、地理的領域のセルと区別される。無線リソースと関連付けられたセルは、図９および図１０を参照して後述する。
【００３３】
以下、セル（cell）という用語は、地理的領域のセルであると特別に言及しない限り、無線リソースと関連付けられたセルを意味する。そのため、サービングセルという用語は、特別な言及がない限り、無線リソースとしてＵＥに設定された（configured）セルを意味する。ただし、セル固有参照信号（Cell specific Reference Signal；ＣＲＳ）の“セル”、セル識別子（cellidentity）の“セル”、物理層セル識別子（physical layer cell identity）の“セル”は、無線リソースと関連付けられた意味のセルではなく地理的領域のセルを意味できる。そのため、サービングセルのＣＲＳという表現およびサービングセルの（物理層）セル識別子という表現中のサービングセルは、無線リソースと関連付けられたサービングセルというよりは地理的領域と関連付けられたサービングセルと理解することができる。また“隣接セル”および“セル間干渉”という表現中の“セル”も、無線リソースというよりは地理的領域と理解することができる。
【００３４】
３ＧＰＰ ＬＴＥ／ＬＴＥ−Ａ標準は、上位層から生じた情報を運ぶリソース要素に対応する下りリンク物理チャネルと、物理層により用いられるが、上位層から生じた情報を運ばないリソース要素に対応する下りリンク物理信号と、を定義している。例えば、物理下りリンク共有チャネル（Physical Downlink Shared CHannel；ＰＤＳＣＨ）、物理ブロードキャストチャネル（Physical Broadcast CHannel；ＰＢＣＨ）、物理マルチキャストチャネル（Physical Multicast CHannel；ＰＭＣＨ）、物理制御フォーマットインジケータチャネル（Physical Control Format Indicator CHannel；ＰＣＦＩＣＨ）、物理下りリンク制御チャネル（Physical Downlink Control CHannel；ＰＤＣＣＨ）および物理ハイブリッドＡＲＱインジケータチャネル（Physical Hybrid ARQ Indicator CHannel；ＰＨＩＣＨ）が下りリンク物理チャネルとして定義されており、参照信号および同期信号が下りリンク物理信号として定義されている。パイロット（pilot）とも呼ばれる参照信号（Reference Signal；ＲＳ）は、ｅＮＢとＵＥとが互いに知っている予め定められた特殊な波形の信号を意味し、例えば、セル固有ＲＳ（Cell specific RS；ＣＲＳ）、ＵＥ−固有ＲＳ（UE-specific RS；ＵＥ−ＲＳ）、ポジショニングＲＳ（Positioning RS；ＰＲＳ）およびチャネル状態情報ＲＳ（Channel State Information RS；ＣＳＩ−ＲＳ）が下りリンク参照信号として定義される。一方、３ＧＰＰ ＬＴＥ／ＬＴＥ−Ａ標準は、上位層から生じた情報を運ぶリソース要素に対応する上りリンク物理チャネルと、物理層により用いられるが、上位層から生じた情報を運ばないリソース要素に対応する上りリンク物理信号と、を定義している。例えば、物理上りリンク共有チャネル（Physical Uplink Shared CHannel；ＰＵＳＣＨ）、物理上りリンク制御チャネル（Physical Uplink Control CHannel；ＰＵＣＣＨ）、物理ランダムアクセスチャネル（Physical Random Access CHannel；ＰＲＡＣＨ）が上りリンク物理チャネルとして定義され、上りリンク制御／データ信号のための復調参照信号（DeModulation Reference Signal；ＤＭＲＳ）と上りリンクチャネル測定に用いられるサウンディング参照信号（Sounding Reference Signal；ＳＲＳ）とが定義される。
【００３５】
本発明においてＰＤＣＣＨ／ＰＣＦＩＣＨ／ＰＨＩＣＨ／ＰＤＳＣＨは、それぞれ、下りリンク制御情報（Downlink Control Information；ＤＣＩ）／制御フォーマットインジケータ（Control Format Indicator；ＣＦＩ）／下りリンク確認応答／否定応答（ACKnowledgement/Negative ACK；ＡＣＫ／ＮＡＣＫ）／下りリンクデータを運ぶ、時間−周波数リソースの集合またはリソース要素の集合を意味する。また、ＰＵＣＣＨ／ＰＵＳＣＨ／ＰＲＡＣＨはそれぞれ、上りリンク制御情報（Uplink Control Information；ＵＣＩ）／上りリンクデータ／ランダムアクセス信号を運ぶ、時間−周波数リソースの集合またはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられるまたは属する時間−周波数リソースまたはリソース要素（Resource Element；ＲＥ）を、それぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースまたはＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥと呼ぶ。以下で、ユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上でまたは通じて上りリンク制御情報／上りリンクデータ／ランダムアクセス信号を送信するということと同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上でまたは通じて下りリンクデータ／制御情報を送信するということと同じ意味で使われる。
【００３６】
本発明において、ＣＲＳポート、ＵＥ−ＲＳポート、ＣＳＩ−ＲＳポートとは、それぞれ、ＣＲＳを送信するように設定された（configured）アンテナポート、ＵＥ−ＲＳを送信するように設定されたアンテナポート、ＵＥ−ＲＳを送信するように設定されたアンテナポートを意味する。ＣＲＳを送信するように設定されたアンテナポートは、ＣＲＳポートによってＣＲＳが占有するＲＥの位置によって相互に区別でき、ＵＥ−ＲＳを送信するように設定されたアンテナポートは、ＵＥ−ＲＳポートによってＵＥ−ＲＳが占有するＲＥの位置によって相互に区別でき、ＣＳＩ−ＲＳを送信するように設定されたアンテナポートは、ＣＳＩ−ＲＳポートによってＣＳＩ−ＲＳが占有するＲＥの位置によって相互に区別できる。そのため、ＣＲＳ／ＵＥ−ＲＳ／ＣＳＩ−ＲＳポートという用語が一定のリソース領域内でＣＲＳ／ＵＥ−ＲＳ／ＣＳＩ−ＲＳが占有するＲＥのパターンを意味する用語として用いられることもある。
【００３７】
図１は、無線通信システムで用いられる無線フレーム構造の一例を示す図である。
【００３８】
特に、図１（ａ）は、３ＧＰＰ ＬＴＥ／ＬＴＥ−Ａシステムで用いられる周波数分割二重通信（Frequency Division Duplex；ＦＤＤ）用フレーム構造を示しており、図１（ｂ）は、３ＧＰＰ ＬＴＥ／ＬＴＥ−Ａシステムで用いられる時分割二重通信（Time Division Duplex；ＴＤＤ）用フレーム構造を示している。以下、図１（ａ）のフレーム構造をフレーム構造タイプ１（Frame Structure Type 1；ＦＳ１）、図１（ｂ）のフレーム構造をフレーム構造タイプ２（Frame Structure Type 2；ＦＳ２）と呼ぶ。
【００３９】
図１を参照すると、３ＧＰＰ ＬＴＥ／ＬＴＥ−Ａシステムで用いられる無線フレームは、１０ｍｓ（３０７２００Ｔs）の長さを有し、１０個の均等なサイズのサブフレーム（SubFrame；ＳＦ）で構成される。１個の無線フレームにおける１０個のサブフレームにはそれぞれ番号を与えることができる。ここで、Ｔsは、サンプリング時間を表し、Ｔs＝１／（２０４８＊１５ｋＨｚ）で表示される。それぞれのサブフレームは、１ｍｓの長さを有し、２個のスロットで構成される。１個の無線フレームにおいて、２０個のスロットには０から１９までの番号を順次与えることができる。それぞれのスロットは０．５ｍｓの長さを有する。１個のサブフレームを送信するための時間は、送信時間間隔（Transmission Time Interval；ＴＴＩ）として定義される。時間リソースは、無線フレーム番号（或いは、無線フレームインデックスともいう）、サブフレーム番号（或いは、サブフレームインデックスともいう）、スロット番号（或いは、スロットインデックスともいう）などによって区別することができる。
【００４０】
無線フレームは、二重通信（duplex）技法によって別々に設定（configure）することができる。例えば、ＦＤＤにおいて、下りリンク送信および上りリンク送信は周波数によって区別されるため、無線フレームは特定の周波数帯域に対して下りリンクサブフレームまたは上りリンクサブフレームのいずれか一つのみを含む。ＴＤＤでは下りリンク送信および上りリンク送信が時間によって区別されるため、特定の周波数帯域に対して無線フレームは下りリンクサブフレームも上りリンクサブフレームも含む。
【００４１】
表１は、ＴＤＤで、無線フレームにおけるサブフレームのＤＬ−ＵＬの設定（configuration）を例示する表である。
【００４２】
【表１】
2015519855.tif 000003
【００４３】
表１で、Ｄは下りリンクサブフレームを、Ｕは上りリンクサブフレームを、Ｓは特殊（special）サブフレームを表す。特殊サブフレームは、下りリンクパイロットタイムスロット（Downlink Pilot TimeSlot；ＤｗＰＴＳ）、ガード区間（Guard Period；ＧＰ）、上りリンクパイロットタイムスロット（Uplink Pilot TimeSlot；ＵｐＰＴＳ）の３つのフィールドを含む。ＤｗＰＴＳは、下りリンク送信のためにリザーブされる時間区間であり、ＵｐＰＴＳは、上りリンク送信のためにリザーブされる時間区間である。表２は、特殊サブフレームの設定を例示する表である。
【００４４】
【表２】
2015519855.tif 000004
【００４５】
図２は、無線通信システムにおいて下りリンク／上りリンク（ＤＬ／ＵＬ）スロット構造の一例を示す図である。特に、図２は、３ＧＰＰ ＬＴＥ／ＬＴＥ−Ａシステムのリソースグリッド（resource grid）の構造を示す。アンテナポート当たり１個のリソースグリッドがある。
【００４６】
図２を参照すると、スロットは、時間ドメイン（time domain）において複数の直交周波数分割多重（Orthogonal Frequency Division Multiplexing；ＯＦＤＭ）シンボルを含み、周波数ドメイン（frequency domain）において複数のリソースブロック（Resource Block；ＲＢ）を含む。ＯＦＤＭシンボルは、１個のシンボル区間を意味することもある。図２を参照すると、各スロットで送信される信号は、ＮDL/ULRB×ＮRBsc個の副搬送波（subcarrier）とＮDL/ULsymb個のＯＦＤＭシンボルとで構成されるリソースグリッド（resource grid）で表現することができる。ここで、ＮDLRBは、下りリンクスロットにおけるリソースブロック（Resource Block；ＲＢ）の個数を表し、ＮULRBは、ＵＬスロットにおけるＲＢの個数を表す。ＮDLRBおよびＮULRBは、ＤＬ送信帯域幅およびＵＬ送信帯域幅にそれぞれ依存する。ＮDLsymbは、下りリンクスロットにおけるＯＦＤＭシンボルの個数を表し、ＮULsymbは、ＵＬスロットにおけるＯＦＤＭシンボルの個数を表す。ＮRBscは、一つのＲＢを構成する副搬送波の個数を表す。
【００４７】
ＯＦＤＭシンボルは、多元接続方式によって、ＯＦＤＭシンボル、単一搬送波周波数分割多元（Single Carrier Frequency Division Multiplexing；ＳＣ−ＦＤＭ）シンボルなどと呼ぶことができる。一つのスロットに含まれるＯＦＤＭシンボルの数は、チャネル帯域幅、巡回プリフィックス（Cyclic Prefix；ＣＰ）の長さによって様々に変更可能である。例えば、正規（normal）ＣＰの場合は、一つのスロットが７個のＯＦＤＭシンボルを含むが、拡張（extended）ＣＰの場合は、一つのスロットが６個のＯＦＤＭシンボルを含む。図２では、説明の便宜のために、一つのスロットが７個のＯＦＤＭシンボルで構成されるサブフレームを例示するが、本発明の実施例は、その他の個数のＯＦＤＭシンボルを有するサブフレームに同様の方式で適用されてもよい。図２を参照すると、各ＯＦＤＭシンボルは、周波数ドメインで、ＮDL/ULRB×ＮRBsc個の副搬送波を含む。副搬送波の類型は、データ送信のためのデータ副搬送波、参照信号（reference signal）の送信のための参照信号副搬送波、保護バンド（guard band）または直流（Direct Current；ＤＣ）成分のためのヌル（null）副搬送波に分類することができる。ＤＣ成分は、ＯＦＤＭ信号生成過程または周波数アップ変換過程で搬送波周波数（carrier frequency；ｆ0）にマッピング（mapping）される。搬送波周波数は中心周波数（center frequency；ｆc）と呼ばれることもある。
【００４８】
一つのＲＢは、時間ドメインでＮDL/ULsymb個（例えば、７個）の連続するＯＦＤＭシンボルとして定義され、周波数ドメインでＮRBsc個（例えば、１２個）の連続する副搬送波として定義される。参考として、一つのＯＦＤＭシンボルと一つの副搬送波で構成されたリソースをリソース要素（Resource Element；ＲＥ）またはトーン（tone）という。したがって、一つのＲＢは、ＮDL/ULsymb×ＮRBsc個のリソース要素で構成される。リソースグリッドにおける各リソース要素は、一つのスロットにおけるインデックス対（ｋ，１）によって固有に定義できる。ｋは、周波数ドメインで０からＮDL/ULRB×ＮRBsc−１まで与えられるインデックスであり、ｌは、時間ドメインで０からＮDL/ULsymb−１まで与えられるインデックスである。
【００４９】
一方、一つのＲＢは、一つの物理リソースブロック（Physical Resource Block；ＰＲＢ）と一つの仮想リソースブロック（Virtual Resource Block；ＶＲＢ）とにそれぞれマッピングされる。ＰＲＢは、時間ドメインでＮDL/ULsymb個（例えば、７個）の連続するＯＦＤＭシンボルまたはＳＣ−ＦＤＭシンボルとして定義され、周波数ドメインでＮRBsc個（例えば、１２個）の連続する副搬送波として定義される。したがって、一つのＰＲＢはＮDL/ULsymb×ＮRBsc個のリソース要素で構成される。一つのサブフレームでＮRBsc個の連続する同一の副搬送波を占有しながら、当該サブフレームの２個のスロットのそれぞれに１個ずつ位置する２個のＲＢを、ＰＲＢ対と呼ぶ。ＰＲＢ対を構成する２個のＲＢは、同一のＰＲＢ番号（或いは、ＰＲＢインデックスともいう）を有する。
【００５０】
図３は、同期信号（Synchronization Signal；ＳＳ）の送信のための無線フレーム構造を例示する図である。特に、図３は、周波数分割二重通信（ＦＤＤ）における同期信号およびＰＢＣＨの送信のための無線フレーム構造を例示する図で、図３（ａ）は、正規ＣＰとして構成された無線フレームにおけるＳＳおよびＰＢＣＨの送信位置を示しており、図３（ｂ）は、拡張ＣＰ（extended CP）として構成された無線フレームにおけるＳＳおよびＰＢＣＨの送信位置を示している。
【００５１】
ＵＥは、電源が入ったり新しくセルに接続しようとする場合、当該セルとの時間および周波数の同期を取り、当該セルの物理層セル識別子（physical layer cell identity）ＮcellIDを検出（detect）するなどのセル探索（initial cell search）手順（procedure）を行う。そのために、ＵＥは、ｅＮＢから同期信号、例えば、１次同期信号（Primary Synchronization Signal；ＰＳＳ）および２次同期信号（Secondary Synchronization Signal；ＳＳＳ）を受信してｅＮＢと同期を取り、セル識別子（IDentity；ＩＤ）などの情報を取得することができる。
【００５２】
図３を参照して、ＳＳをより詳しく説明すると、次の通りである。ＳＳは、ＰＳＳとＳＳＳとに区別できる。ＰＳＳは、ＯＦＤＭシンボル同期、スロット同期などの時間ドメイン同期および／または周波数ドメイン同期を取るために用いられ、ＳＳＳは、フレーム同期、セルグループＩＤおよび／またはセルのＣＰ設定（configuration）（すなわち、正規ＣＰまたは拡張ＣＰの使用情報）を得るために用いられる。図３を参照すると、ＰＳＳおよびＳＳＳは、各無線フレームの２個のＯＦＤＭシンボルでそれぞれ送信される。具体的には、ＳＳは、インター（inter）無線アクセス技術（Radio Access Technology；ＲＡＴ）測定を容易にするために、ＧＳＭフレーム長である４．６ｍｓを考慮して、サブフレーム０の一番目のスロットとサブフレーム５の一番目のスロットとでそれぞれ送信される。特に、ＰＳＳは、サブフレーム０の一番目のスロットの最後のＯＦＤＭシンボルと、サブフレーム５の一番目のスロットの最後のＯＦＤＭシンボルと、でそれぞれ送信され、ＳＳＳは、サブフレーム０の一番目のスロットの最後から二番目のＯＦＤＭシンボルと、サブフレーム５の一番目のスロットの最後から二番目のＯＦＤＭシンボルと、でそれぞれ送信される。無線フレームの境界は、ＳＳＳから検出することができる。ＰＳＳは、当該スロットの最後のＯＦＤＭシンボルで送信され、ＳＳＳはＰＳＳの直前のＯＦＤＭシンボルで送信される。ＳＳの送信ダイバーシチ（diversity）方式は、単一アンテナポート（single antenna port）のみを用い、標準では別に定義していない。すなわち、単一アンテナポート送信またはＵＥに透明な（transparent）送信方式（例えば、プリコーディングベクトルスイッチ（Precoding Vector Switching；ＰＶＳ）、時間スイッチ送信ダイバーシチ（Time Switched Diversity；ＴＳＴＤ）、巡回遅延ダイバーシチ（Cyclic Delay Diversity；ＣＤＤ））をＳＳの送信ダイバーシチのために用いることができる。
【００５３】
ＳＳは、３個のＰＳＳと１６８個のＳＳＳとの組合せによって合計５０４個の固有の物理層セル識別子（physical layer cell ID）を示すことができる。換言すれば、これらの物理層セルＩＤは、各物理層セルＩＤがただ一つの物理層セル識別子グループの一部になるように、各グループが３個の固有の識別子を含む１６８個の物理層セル識別子グループに分けられる。したがって、物理層セル識別子ＮcellID＝３Ｎ(1)ID＋Ｎ(2)IDは、物理層セル識別子グループを表す０から１６７までの範囲中の番号Ｎ(1)ID、および物理層セル識別子グループにおける物理層識別子を表す０から２までの番号Ｎ(2)IDによって固有に定義される。ＵＥは、ＰＳＳを検出して３個の固有の物理層識別子を識別でき、ＳＳＳを検出して、当該物理層識別子に関連付けられた１６８個の物理層セルＩＤのいずれか一つを識別できる。長さ６３のザァドフチュウ（Zadoff-Chu；ＺＣ）シーケンスが周波数ドメインで定義されてＰＳＳとして用いられる。例えば、ＺＣシーケンスを下記の式（１）によって定義できる。
【００５４】
【数１】
2015519855.tif 000005
【００５５】
ここで、ＮZC＝６３であり、ＤＣ副搬送波に該当するシーケンス要素（sequence element）であるｎ＝３１は、パンクチャ（puncturing）される。
【００５６】
ＰＳＳは、中心周波数に近い６個のＲＢ（＝７２個の副搬送波）にマッピングされる。これらの７２個の副搬送波のうち、９個の残りの副搬送波は常に０の値を運び、これらは、同期実行のためのフィルタ設計を容易にする要素として働く。合計３個のＰＳＳが定義されるために、式１で、ｕ＝２４、２９および３４が用いられる。ｕ＝２４およびｕ＝３４は共役対称（conjugate symmetry）関係を有することから、両者の相関（two correlations）を同時に行うことができる。ここで、共役対称とは、次の式（２）の関係を意味する。
【００５７】
【数２】
2015519855.tif 000006
【００５８】
共役対称の特性を用いると、ｕ＝２９およびｕ＝３４に対するワンショット相関器（one-shot correlator）として具現でき、共役対称のない場合に比べて、全体的な演算量を約３３．３％減少することができる。
【００５９】
さらにいうと、ＰＳＳのために用いられるシーケンスｄ（ｎ）は、周波数ドメインＺＣシーケンスから下記の式（３）によって生成される。
【００６０】
【数３】
2015519855.tif 000007
【００６１】
ここで、ＺＣルートシーケンスインデックスｕは、下記の表によって与えられる。
【００６２】
【表３】
2015519855.tif 000008
【００６３】
図３を参照すると、ＰＳＳは５ｍｓごとに送信されるため、ＵＥは、ＰＳＳを検出したとき、当該サブフレームがサブフレーム０またはサブフレーム５であることがわかるが、当該サブフレームがサブフレーム０またはサブフレーム５のいずれであるかまではわからない。そのため、ＵＥは、ＰＳＳだけでは無線フレームの境界を認知できない。すなわち、ＰＳＳだけではフレーム同期を取ることができない。ＵＥは、無線フレーム内で２回送信されるが、互いに異なるシーケンスで送信されるＳＳＳを検出して無線フレームの境界を検出する。
【００６４】
図４は、２次同期信号（ＳＳＳ）の生成方式を説明するための図である。具体的には、図４は、論理ドメイン（logical domain）における２個のシーケンスが物理ドメインにマッピングされる関係を示している。ＳＳＳのために用いられるシーケンスは、２個の長さ３１のｍ−シーケンスのインターリービングされた連結（interleaved concatenation（コンカチネーション））であって、該連結されたシーケンスは、ＰＳＳによって与えられる拡散シーケンスによってスクランブルされる。ここで、ｍ−シーケンスは、擬似雑音（Pseudo Noise；ＰＮ）シーケンスの一種である。
【００６５】
図４を参照すると、ＳＳＳ符号生成のために用いられる２個のｍ−シーケンスをそれぞれＳ１、Ｓ２とすれば、ＰＳＳベースの互いに異なる２個のシーケンスＳ１およびＳ２は、ＳＳＳにスクランブルされる。このとき、Ｓ１とＳ２とは、互いに異なるシーケンスによってスクランブルされる。ＰＳＳベースの拡散符号は、ｘ5＋ｘ3＋１の多項式から生成されたｍ−シーケンスを巡回シフトして得ることができるが、ＰＳＳインデックスによって６個のシーケンスが上記ｍ−シーケンスの巡回シフトによって生成される。その後、Ｓ２はＳ１ベースの拡散符号によってスクランブルされる。Ｓ１ベースの拡散符号は、ｘ5＋ｘ4＋ｘ2＋ｘ1＋１の多項式から生成されたｍ−シーケンスを巡回シフトして得ることができるが、Ｓ１のインデックスによって８個のシーケンスが上記ｍ−シーケンスの巡回シフトによって生成される。ＳＳＳの符号は５ｍｓごとに交換（swap）されるが、ＰＳＳベースの拡散符号は交換されない。例えば、サブフレーム０のＳＳＳが（Ｓ１，Ｓ２）の組合せでセルグループ識別子を運ぶとすれば、サブフレーム５のＳＳＳは（Ｓ２，Ｓ１）として交換（swap）されたシーケンスを運ぶ。これによって、１０ｍｓの無線フレーム境界を区別することができる。このとき、用いられるＳＳＳ符号は、ｘ5＋ｘ2＋１の多項式から生成され、長さ３１のｍ−シーケンスの互いに異なる巡回シフト（circular shift）を通じて合計３１個の符号を生成することができる。
【００６６】
ＳＳＳを定義する２個の長さ３１のｍ−シーケンスの組合せ（combination）は、サブフレーム０とサブフレーム５とにおいて異なり、２個の長さ３１のｍ−シーケンスの組合せによって合計１６８個のセルグループ識別子（cellgroup ID）が表現される。ＳＳＳのシーケンスとして用いられるｍ−シーケンスは、周波数選択環境でロバストな特性がある。また、高速アダマール変換（fast Hadarmard transform）を用いた高速ｍ−シーケンス変換により変換され得るため、ｍ−シーケンスがＳＳＳとして利用されると、ＵＥがＳＳＳを解釈するのに必要な演算量を低減できる。また、２個の短い符号（short code）でＳＳＳが構成されるため、ＵＥの演算量を低減することができる。
【００６７】
ＳＳＳの生成に関してさらに説明すると、ＳＳＳのために用いられるシーケンスｄ（０），…，ｄ（６１）は、２個の長さ−３１の二進（binary）シーケンスのインターリービングされた連結である。この連結されたシーケンスは、ＰＳＳによって与えられる拡散シーケンスでスクランブルされる。
【００６８】
ＰＳＳを定義する２個の長さ−３１のシーケンスの組合せは、サブフレーム０とサブフレーム５とにおいて下記の式（４）ように異なる。
【００６９】
【数４】
2015519855.tif 000009
【００７０】
ここで、０≦ｎ≦３０である。インデックスｍ0およびｍ1は、物理層セル識別子グループＮ(1)IDから下記の式（５）によって導出される。
【００７１】
【数５】
2015519855.tif 000010
【００７２】
式（５）の出力（output）は、式（１１）に続く表４にリストされる。
【００７３】
２個のシーケンスＳ(m0)0（ｎ）およびＳ(m1)1（ｎ）は、下記の式（６）によって、ｍ−シーケンスｓ（ｎ）の２個の異なる巡回シフトによって定義される。
【００７４】
【数６】
2015519855.tif 000011
【００７５】
ここで、ｓ（ｉ）＝１−２ｘ（ｉ）（０≦ｉ≦３０）は、初期条件（initial conditions）ｘ（０）＝０、ｘ（１）＝０、ｘ（２），ｘ（３）＝０、ｘ（４）＝１で、下記の式（７）によって定義される。
【００７６】
【数７】
2015519855.tif 000012
【００７７】
２個の拡散シーケンスｃ0（ｎ）およびｃ1（ｎ）はＰＳＳに依存し、ｍ−シーケンスｃ（ｎ）の２個の異なる巡回シフトによって下記の式（８）によって定義される。
【００７８】
【数８】
2015519855.tif 000013
【００７９】
ここで、Ｎ(2)ID∈｛０，１，２｝は、物理層セル識別子グループＮ(1)ID内の物理層識別子であり、ｃ（ｉ）＝１−２ｘ（ｉ）（０≦ｉ≦３０）は、初期条件（initial conditions）ｘ（０）＝０、ｘ（１）＝０、ｘ（２），ｘ（３）＝０、ｘ（４）＝１で、下記の式（９）によって定義される。
【００８０】
【数９】
2015519855.tif 000014
【００８１】
拡散シーケンスＺ(m0)1（ｎ）およびＺ(m1)1（ｉ）は、下記の式（１０）によってｍ−シーケンスｚ（ｎ）の巡回シフトによって定義される。
【００８２】
【数１０】
2015519855.tif 000015
【００８３】
ここで、ｍ0およびｍ1は、式（１１）に続いて記載された表４から得られ、ｚ（ｉ）＝１−２ｘ（ｉ）（０≦ｉ≦３０）は、初期条件（initial conditions）ｘ（０）＝０、ｘ（１）＝０、ｘ（２），ｘ（３）＝０、ｘ（４）＝１で、下記の式（１１）によって定義される。
【００８４】
【数１１】
2015519855.tif 000016
【００８５】
【表４】
2015519855.tif 000017
【００８６】
ＳＳＳを用いたセル探索処理を行って、ＤＬ信号の復調（demodulation）およびＵＬ信号の送信を正確な時点で行うために必要な時間および周波数パラメータを決定したＵＥは、上記ｅＮＢから上記ＵＥのシステム設定（system configuration）に必要なシステム情報を取得して初めて上記ｅＮＢと通信することができる。
【００８７】
システム情報は、マスタ情報ブロック（Master Information Block；ＭＩＢ）およびシステム情報ブロック（System Information Block；ＳＩＢ）によって設定される。各システム情報ブロックは、機能的に関連付けられたパラメータのセットを含み、含まれるパラメータによって、マスタ情報ブロック（ＭＩＢ）およびシステム情報ブロックタイプ１（ＳＩＢ１）、システム情報ブロックタイプ２（ＳＩＢ２）、ＳＩＢ３〜ＳＩＢ８に区別される。ＭＩＢは、ＵＥがｅＮＢのネットワークに初期接続（initial access）する上で必須の、最も頻繁に送信されるパラメータを含む。ＳＩＢ１は、他のＳＩＢの時間ドメインスケジューリングに関する情報だけでなく、特定のセルがセル選択に適したセルであるか否かを判断するのに必要なパラメータを含む。
【００８８】
ＵＥは、ＭＩＢをブロードキャストチャネル（例えば、ＰＢＣＨ）を介して受信することができる。ＭＩＢには、下りリンクシステム帯域幅（DL-Bandwidth；ＤＬ ＢＷ）、ＰＨＩＣＨ設定（configuration）、システムフレームナンバ（ＳＦＮ）が含まれる。したがって、ＵＥは、ＰＢＣＨを受信することによって明示的（explicit）にＤＬ ＢＷ、ＳＦＮ、ＰＨＩＣＨ設定に関する情報を確認することができる。一方、ＰＢＣＨを受信することによってＵＥが暗黙的（implicit）に確認できる情報には、ｅＮＢの送信アンテナポートの個数がある。ｅＮＢの送信アンテナの個数に関する情報は、ＰＢＣＨのエラー検出に用いられる１６−ビット巡回冗長検査ビット（Cyclic Redundancy Check；ＣＲＣ）に、送信アンテナの個数に対応するシーケンスをマスキング（例えば、ＸＯＲ演算）して暗黙的にシグナリングされる。
【００８９】
ＰＢＣＨは、４０ｍｓの間に４個のサブフレームにマッピングされる。４０ｍｓの時間はブラインド（blind)検出されるもので、４０ｍｓの時間に関する明示的なシグナリングは別に存在しない。時間ドメインにおいて、ＰＢＣＨは、無線フレームにおけるサブフレーム０のスロット１（サブフレーム０の二番目のスロット）のＯＦＤＭシンボル０〜３で送信される。
【００９０】
周波数ドメインにおいて、ＰＳＳ／ＳＳＳおよびＰＢＣＨは、実際のシステム帯域幅にかかわらず、当該ＯＦＤＭシンボルにおいてＤＣ副搬送波を中心に左右３個ずつ合計６個のＲＢ、すなわち、合計７２個の副搬送波内でのみ送信される。したがって、ＵＥは、該ＵＥに設定された（configured）下りリンク送信帯域幅に関係なくＳＳおよびＰＢＣＨを検出または復号できるように設定される。
【００９１】
初期セル探索を終えてｅＮＢのネットワークに接続したＵＥは、ＰＤＣＣＨと、該ＰＤＣＣＨに含まれた情報と、によってＰＤＳＣＨを受信することによって、より具体的なシステム情報を取得することができる。上述したような手順を行ったＵＥは、以降、一般的な上り／下りリンク信号伝送手順として、ＰＤＣＣＨ／ＰＤＳＣＨ受信およびＰＵＳＣＨ／ＰＵＣＣＨ送信を行うことができる。
【００９２】
図５は、無線通信システムで用いられる下りリンクサブフレームの構造を例示する図である。
【００９３】
図５を参照すると、ＤＬサブフレームは、時間ドメインで制御領域（control region）とデータ領域（data region）とに区別される。図５を参照すると、サブフレームの一番目のスロットで先頭部に位置する最大３（または４）個のＯＦＤＭシンボルは、制御チャネルが割り当てられる制御領域に対応する。以下、ＤＬサブフレームにおいてＰＤＣＣＨ送信に利用可能なリソース領域をＰＤＣＣＨ領域と称する。制御領域に用いられるＯＦＤＭシンボル以外のＯＦＤＭシンボルは、ＰＤＳＣＨが割り当てられるデータ領域に該当する。以下、ＤＬサブフレームでＰＤＳＣＨ送信に利用可能なリソース領域をＰＤＳＣＨ領域と称する。３ＧＰＰ ＬＴＥで用いられるＤＬ制御チャネルの例は、ＰＣＦＩＣＨ、ＰＤＣＣＨ、ＰＨＩＣＨなどを含む。ＰＣＦＩＣＨは、サブフレームの最初のＯＦＤＭシンボルで送信され、サブフレーム内で制御チャネルの送信に用いられるＯＦＤＭシンボルの個数に関する情報を運ぶ。ＰＨＩＣＨは、ＵＬ送信に対する応答としてハイブリッド自動再送要求（Hybrid Automatic Repeat Request；ＨＡＲＱ）確認応答／否定応答（Acknowledgment/Negative-Acknowledgment；ＡＣＫ／ＮＡＣＫ）信号を運ぶ。
【００９４】
ＰＤＣＣＨを介して送信される制御情報を、下りリンク制御情報（Downlink Control Information；ＤＣＩ）と称する。ＤＣＩは、ＵＥまたはＵＥグループのためのリソース割当情報および他の制御情報を含む。ＤＬ共有チャネル（Downlink Shared CHannel；ＤＬ−ＳＣＨ）の送信フォーマット（Transmit Format）およびリソース割当情報は、ＤＬスケジューリング情報またはＤＬグラント（DL grant）とも呼ばれ、ＵＬ共有チャネル（UpLink Shared CHannel；ＵＬ−ＳＣＨ）の送信フォーマットおよびリソース割当情報は、ＵＬスケジューリング情報またはＵＬグラント（UL grant）とも呼ばれる。一つのＰＤＣＣＨが運ぶＤＣＩは、ＤＣＩフォーマットによってそのサイズと用途が異なり、コーディングレートによってそのサイズが異なることもある。現在３ＧＰＰ ＬＴＥシステムでは、上りリンク用にフォーマット０および４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割当（RB allocation）、変調符号化方式（Modulation Coding Scheme；ＭＣＳ）、冗長バージョン（Redundancy Version；ＲＶ）、新規データインジケータ（New Data Indicator；ＮＤＩ）、送信電力制御（Transmit Power Control；ＴＰＣ）、巡回シフト（cyclic shift）復調用参照信号（Demodulation Reference Signal；ＤＭＲＳ）、ＵＬインデックス、チャネル品質インジケータ（Channel Quality Information；ＣＱＩ）要求、ＤＬ割当インデックス（DL assignment index）、ＨＡＲＱプロセスナンバ、送信プリコーディング行列インジケータ（Transmitted Precoding Matrix Indicator；ＴＰＭＩ）、プリコーディング行列インジケータ（Precoding Matrix Indicator；ＰＭＩ）情報などの制御情報が適宜選択された組合せが、下りリンク制御情報としてＵＥに送信される。表５にＤＣＩフォーマットの例を示す。
【００９５】
【表５】
2015519855.tif 000018
【００９６】
複数のＰＤＣＣＨが制御領域内で送信されてもよく、ＵＥは、複数のＰＤＣＣＨをモニタすることができる。ｅＮＢは、ＵＥに送信されるＤＣＩに基づいてＤＣＩフォーマットを決定し、ＤＣＩにＣＲＣを付加する。ＣＲＣは、ＰＤＣＣＨの所有者または使用目的によって識別子（例えば、無線ネットワーク一時識別子（Radio Network Temporary Identifier；ＲＮＴＩ））でマスキング（または、スクランブル）される。例えば、ＰＤＣＣＨが特定のＵＥのためのものであれば、当該ＵＥの識別子（例えば、セルＲＮＴＩ（Cell-RNTI；Ｃ−ＲＮＴＩ））でＣＲＣをマスキングできる。ＰＤＣＣＨがページングメッセージのためのものであれば、ページング識別子（例えば、ページングＲＮＴＩ（Paging-RNTI；Ｐ−ＲＮＴＩ））でＣＲＣをマスキングできる。ＰＤＣＣＨがシステム情報（より具体的には、システム情報ブロック（ＳＩＢ））のためのものであれば、システム情報ＲＮＴＩ（System Information RNTI；ＳＩ−ＲＮＴＩ）でＣＲＣをマスキングできる。ＰＤＣＣＨがランダムアクセス応答のためのものであれば、ランダムアクセスＲＮＴＩ（Random Access-RNTI；ＲＡ−ＲＮＴＩ）でＣＲＣをマスキングできる。ＣＲＣマスキング（または、スクランブリング）は、例えばビットレベルでＣＲＣとＲＮＴＩをＸＯＲ演算することを含む。
【００９７】
ＰＤＣＣＨは、一つまたは複数の連続した制御チャネル要素（Control Channel Element；ＣＣＥ）のアグリゲーション（aggregation）上で送信される。ＣＣＥは、ＰＤＣＣＨに、無線チャネル状態に基づくコーディングレートを提供するために用いられる論理的割当ユニットである。ＣＣＥは、複数のリソース要素グループ（Resource Element Group；ＲＥＧ）に対応する。例えば、一つのＣＣＥは、９個のＲＥＧに対応し、一つのＲＥＧは４個のＲＥに対応する。４個のＱＰＳＫシンボルがそれぞれのＲＥＧにマッピングされる。参照信号（ＲＳ）によって占有されたリソース要素（ＲＥ）はＲＥＧに含まれない。したがって、与えられたＯＦＤＭシンボル内でＲＥＧの個数はＲＳが存在するか否かによって異なってくる。ＲＥＧの概念は、他の下りリンク制御チャネル（すなわち、ＰＣＦＩＣＨおよびＰＨＩＣＨ）にも用いられる。ＤＣＩフォーマットおよびＤＣＩビットの個数は、ＣＣＥの個数によって決定される。ＣＣＥは番号が付けられて連続して用いられ、復号処理を簡単にするために、ｎ個のＣＣＥで構成されたフォーマットを有するＰＤＣＣＨは、ｎの倍数に該当する番号を有するＣＣＥでのみ開始されればよい。特定のＰＤＣＣＨの送信に用いられるＣＣＥの個数は、チャネル状態に応じて、ネットワークまたはｅＮＢによって決定される。例えば、良好な下りリンクチャネルを有するＵＥ（例えば、ｅＮＢに隣接しているＵＥ）のためのＰＤＣＣＨの場合、一つのＣＣＥだけで十分でありうる。しかし、劣悪なチャネルを有するＵＥ（例えば、セル境界に近接して位置するＵＥ）のためのＰＤＣＣＨの場合、十分なロバスト性（robustness）を得るために、８個のＣＣＥが要求されることがある。また、ＰＤＣＣＨの電力レベルは、チャネル状態に応じて調整することができる。
【００９８】
３ＧＰＰ ＬＴＥ／ＬＴＥ−Ａシステムでは、それぞれのＵＥのためにＰＤＣＣＨが位置し得るＣＣＥのセット（set）を定義した。ＵＥが自体のＰＤＣＣＨを発見できるＣＣＥのセットをＰＤＣＣＨ探索空間、簡単には探索空間（Search Space；ＳＳ）と称する。探索空間内でＰＤＣＣＨを送信し得る個別のリソースをＰＤＣＣＨ候補（candidate）と称する。ＵＥがモニタするＰＤＣＣＨ候補のセットは、探索空間として定義される。探索空間は、異なるサイズを有してもよく、専用（dedicated）探索空間および共通（common）探索空間が定義されている。専用探索空間はＵＥ固有探索空間（UE-Specific Search Space；ＵＥ ＳＳ）であり、それぞれの個別のＵＥのために設定される。共通探索空間は、複数のＵＥのために設定される。下記の表は、探索空間を定義するアグリゲーションレベルを示すものである。
【００９９】
【表６】
2015519855.tif 000019
【０１００】
共通探索空間に対して、Ｙkは、アグリゲーションレベルＬ＝４およびＬ＝８に対して０にセットされる。アグリゲーションレベルＬにおいてＵＥ ＳＳ Ｓ(L)kに対して、変数Ｙkは、下記の式（１２）によって定義される。
【０１０１】
【数１２】
2015519855.tif 000020
【０１０２】
ここで、Ｙ-1＝ｎRNTI、Ａ＝３９８２７、Ｄ＝６５５３７、
【数１３】
2015519855.tif 000021
であり、ｎsは無線フレームにおけるスロット番号である。ＳＩ−ＲＮＴＩ、Ｃ−ＲＮＴＩ、Ｐ−ＲＮＴＩ、ＲＡ−ＲＮＴＩなどをｎＲＮＴＩのためのＲＮＴＩ値として用いることができる。
【０１０３】
ＰＤＣＣＨがモニタされる各サービングセルに対して、探索空間Ｓ(L)kのＰＤＣＣＨ候補ｍに対応するＣＣＥは、下記の式（１３）によって与えられる。
【０１０４】
【数１４】
2015519855.tif 000022
【０１０５】
ここで、Ｙkは、式（１２）によって定めることができ、ｉ＝０，…，Ｌ−１である。共通探索空間の場合、ｍ’＝ｍである。ＵＥ ＳＳの場合、ＰＤＣＣＨがモニタされるサービングセルに対して、モニタするＵＥに搬送波指示フィールドが設定されると、例えば、ＵＥに、ＰＤＣＣＨに搬送波指示フィールド（Carrier Indicator Field；ＣＩＦ）が存在するということが上位層によって指示されると、ｍ’＝ｍ＋Ｍ(L)・ｎCIであり、ここで、ｎCIは搬送波指示フィールド値である。この搬送波指示フィールド値は、当該サービングセルのサービングセルインデックス（ServCellIndex）と同一である。サービングセルインデックスは、サービングセルを識別するために用いられる短い識別子（short identity）であって、例えば、０から‘ＵＥに一度に設定され得る搬送波周波数の最大個数−１’までの整数のいずれか一つがサービングセルインデックスとして一つのサービングセルに割り当てられ得る。すなわち、サービングセルインデックスは、すべての搬送波周波数から特定の搬送波周波数を識別するために用いられる物理インデックスというよりは、ＵＥに割り当てられたセルのみから特定のサービングセルを識別するために用いられる論理インデックスということができる。一方、ＵＥに搬送波指示フィールド（ＣＩＦ）が設定されないと、ｍ’＝ｍであり、ここで、ｍ＝０，…，Ｍ(L)−１である。Ｍ(L)は、該当の探索空間でモニタするＰＤＣＣＨ候補の個数である。参考として、ＣＩＦはＤＣＩに含まれるフィールドであって、キャリアアグリゲーションにおいて、ＣＩＦは、該当のＤＣＩがどのセルのためのスケジューリング情報を運ぶかを示す。ｅＮＢは、ＵＥが受信するＤＣＩがＣＩＦを含み得るか否かを、上位層信号を用いて当該ＵＥに知らせることができる。すなわち、上位層によってＵＥにＣＩＦを設定することができる。キャリアアグリゲーションについては図９および図１０を参照してより詳しく説明する。
【０１０６】
ｅＮＢは、探索空間内の任意のＰＤＣＣＨ候補上で実際のＰＤＣＣＨ（ＤＣＩ）を送信し、ＵＥは、ＰＤＣＣＨ（ＤＣＩ）を探すために探索空間をモニタする。ここで、モニタするということは、すべてのモニタされるＤＣＩフォーマットによって該当の探索空間内の各ＰＤＣＣＨの復号を試みる（attempt）ことを意味する。ＵＥは、これらの複数のＰＤＣＣＨをモニタして、自体のＰＤＣＣＨを検出することができる。基本的にＵＥは自体のＰＤＣＣＨが送信される位置を知らないため、サブフレームごとに、該当のＤＣＩフォーマットのすべてのＰＤＣＣＨに対して、自体の識別子を有するＰＤＣＣＨを検出するまで復号を試みるが、このような処理をブラインド検出（blind detection）（またはブラインド復号（Blind Decoding；ＢＤ）という。
【０１０７】
例えば、特定のＰＤＣＣＨが“Ａ”というＲＮＴＩでＣＲＣマスキングされており、“Ｂ”という無線リソース（例えば、周波数位置）および“Ｃ”という伝送形式情報（例えば、伝送ブロックサイズ、変調方式、コーディング情報など）を用いて送信されるデータに関する情報が、特定のＤＬサブフレームを通じて送信されると想定する。ＵＥは、自体が有しているＲＮＴＩ情報を用いてＰＤＣＣＨをモニタし、“Ａ”というＲＮＴＩを有するＵＥがＰＤＣＣＨを検出し、受信したＰＤＣＣＨの情報に基づいて、“Ｂ”および“Ｃ”によって示されるＰＤＳＣＨを受信する。
【０１０８】
一般に、ＵＥに設定された伝送モード（Transmission Mode；ＴＭ）によって、当該ＵＥに送信可能なＤＣＩフォーマットが異なる。換言すれば、特定の伝送モードとして設定されたＵＥには、いずれのＤＣＩフォーマットをも用いることができるわけではなく、特定の伝送モードに対応する一定のＤＣＩフォーマットのみを用いることができる。例えば、ＵＥは、伝送モード１から９のいずれか一つによってＰＤＣＣＨを介してシグナリングされたＰＤＳＣＨデータを受信するように、上位層によって準−静的に（semi-statically）設定される（configured）。ブラインド復号の試みによるＵＥの演算負荷を一定のレベル以下に維持するために、すべてのＤＣＩフォーマットがＵＥによって同時に探索されることはない。表７には、多重−アンテナ技術を設定する（configure）ための伝送モードと、当該伝送モードでＵＥがブラインド復号を行うＤＣＩフォーマットと、を例示する。
【０１０９】
【表７】
2015519855.tif 000023
【０１１０】
表７には伝送モード１〜９を記載しているが、表７に定義された伝送モード以外の伝送モーが定義されてもよい。
【０１１１】
特に、表７は、セルＲＮＴＩ（Cell RNTI；Ｃ−ＲＮＴＩ）によって設定された（configured）ＰＤＣＣＨとＰＤＳＣＨとの間の関係を示しており、上位層によってＣ−ＲＮＴＩでスクランブリングされたＣＲＣによってＰＤＣＣＨを復号するように設定されたＵＥは、当該ＰＤＣＣＨを復号し、表７に定義された各組合せによって該当のＰＤＳＣＨを復号する。例えば、ＵＥが上位層シグナリングによって伝送モード１に設定されると、ＤＣＩフォーマット１Ａおよび１でＰＤＣＣＨをそれぞれ復号して、ＤＣＩフォーマット１ＡのＤＣＩとＤＣＩフォーマット１のＤＣＩとのうち一つを取得する。
【０１１２】
ＵＥが下りリンク信号を復調または復号するためには、当該ＵＥと下りリンク信号を送信したノードとの間のチャネルを推定するための参照信号を必要とする。ＬＴＥシステムで定義されたＣＲＳは、復調の目的にも測定の目的にも用いることができる。ＤＲＳは、特定のＵＥにのみ知らされ、ＣＲＳはすべてのＵＥに知らされる。３ＧＰＰ ＬＴＥシステムで定義されたＣＲＳは、共通ＲＳの一種と見なすことができる。参考として、復調は復号処理の一部であるから、本発明では、復号という用語が復調という用語と同じ意味で使われる。
【０１１３】
図６は、セル固有参照信号（ＣＲＳ）を例示する図である。特に、図６は、最大４個のアンテナまでサポートする３ＧＰＰ ＬＴＥシステムのためのＣＲＳ構造を示す図である。
【０１１４】
既存の３ＧＰＰ ＬＴＥシステムにおいて、ＣＲＳは復調の目的および測定の目的のいずれにも用いられるため、ＣＲＳは、ＰＤＳＣＨ送信をサポートするセル（ｃｅｌｌ）内のすべての下りリンクサブフレームで全体下りリンク帯域幅にわたって送信され、ｅＮＢに設定された（configured）すべてのアンテナポートで送信された。ＵＥは、ＣＲＳを用いてＣＳＩを測定することができ、ＣＲＳを用いて、該ＣＲＳを含むサブフレームでＰＤＳＣＨを介して受信された信号を復調することもできる。すなわち、ｅＮＢは、すべてのＲＢで各ＲＢの一定の位置でＣＲＳを送信し、ＵＥは、当該ＣＲＳを基準にチャネル推定を行った後、ＰＤＳＣＨを検出する。例えば、ＵＥは、ＣＲＳ ＲＥで受信された信号を測定し、この測定された信号、および上記ＣＲＳ ＲＥ別受信エネルギの、ＰＤＳＣＨのマッピングされたＲＥ別受信エネルギに対する比を用いて、ＰＤＳＣＨのマッピングされたＲＥからＰＤＳＣＨ信号を検出することができる。しかし、このようにＣＲＳに基づいてＰＤＳＣＨが送信される場合には、ｅＮＢがすべてのＲＢに対してＣＲＳを送信しなければならず、不必要なＲＳオーバーヘッドが発生する。
【０１１５】
このような問題点を解決するために、３ＧＰＰ ＬＴＥ−Ａシステムでは、ＣＲＳに加えて、ＵＥ−固有ＲＳ（以下、ＵＥ−ＲＳ）およびＣＳＩ−ＲＳをさらに定義している。ＵＥ−ＲＳは復調のために、ＣＳＩ−ＲＳはチャネル状態情報を得る（derive）ために用いられる。ＵＥ−ＲＳは、ＤＲＳの一種と見なすことができる。ＵＥ−ＲＳは、ＰＤＳＣＨが存在するか否かにかかわらずにサブフレームごとに送信されるように設定されたＣＲＳとは違い、ＰＤＳＣＨのスケジュールされたサブフレームにおいてＰＤＳＣＨのマッピングされたＲＢでのみ送信されるように設定される。また、ＵＥ−ＲＳは、ＰＤＳＣＨのレイヤの個数にかかわらずにすべてのアンテナポートから送信されるＣＲＳとは違い、ＰＤＳＣＨのレイヤにそれぞれ対応するアンテナポートのみから送信され、よって、ＣＲＳに比べてＲＳのオーバーヘッドを低減できる。一方、ＣＳＩ−ＲＳは、チャネル測定のために導入された下りリンクＲＳであって、３ＧＰＰ ＬＴＥ−ＡシステムはＣＳＩ−ＲＳ送信のために複数のＣＳＩ−ＲＳ設定を定義している。ＣＳＩ−ＲＳ送信が設定されたサブフレームでＣＳＩ−ＲＳシーケンス
【数１５】
2015519855.tif 000024
は、アンテナポートｐ上の参照シンボルとして用いられる複素変調シンボル
【数１６】
2015519855.tif 000025
に、下記の式（１４）によってマッピングされる。
【０１１６】
【数１７】
2015519855.tif 000026
【０１１７】
ここで、
【数１８】
2015519855.tif 000027
ｋ、ｌは、下記の式（１５）によって与えられる。
【０１１８】
【数１９】
2015519855.tif 000028
【０１１９】
ここで（ｋ’，ｌ’）およびｎs上の必要（necessary）条件は、正規ＣＰおよび拡張ＣＰに対してそれぞれ表８および表９によって与えられる。すなわち、表８および表９のＣＳＩ ＲＳ設定は、ＲＢ対において各アンテナポートのＣＳＩ−ＲＳが占有するＲＥの位置を示す。
【０１２０】
【表８】
2015519855.tif 000029
【０１２１】
【表９】
2015519855.tif 000030
【０１２２】
図７は、ＣＳＩ−ＲＳ設定を例示する図である。特に、図７（ａ）は、表８のＣＳＩ−ＲＳ設定のうち、２個のＣＳＩ−ＲＳポートによるＣＳＩ−ＲＳ送信に利用可能な２０通りのＣＳＩ−ＲＳ設定０〜１９を示し、図７（ｂ）は、表８のＣＳＩ−ＲＳ設定のうち、４個のＣＳＩ−ＲＳポートに利用可能な１０通りのＣＳＩ−ＲＳ設定０〜９を示し、図７（ｃ）は、表８のＣＳＩ−ＲＳ設定のうち、８個のＣＳＩ−ＲＳポートに利用可能な５通りのＣＳＩ−ＲＳ設定０〜４を示している。ここで、ＣＳＩ−ＲＳポートは、ＣＳＩ−ＲＳ送信のために設定されたアンテナポートを意味するが、例えば、式（１５）におけるアンテナポート１５〜２２がＣＳＩ−ＲＳポートに該当する。ＣＳＩ−ＲＳポートの個数によってＣＳＩ−ＲＳ設定が異なるため、ＣＳＩ−ＲＳ設定番号が同一であっても、ＣＳＩ−ＲＳ送信のために設定されたアンテナポートの個数が異なると、異なるＣＳＩ−ＲＳ設定となる。
【０１２３】
一方、ＣＳＩ−ＲＳは、サブフレームごとに送信されるように設定されたＣＲＳとは違い、複数のサブフレームに該当する所定の送信周期ごとに送信されるように設定される。そのため、ＣＳＩ−ＲＳ設定は、表８または表９による、リソースブロック対においてＣＳＩ−ＲＳが占有するＲＥの位置だけでなく、ＣＳＩ−ＲＳが設定されるサブフレームによっても異なる。表８または表９でＣＳＩ−ＲＳ設定番号が同一であっても、ＣＳＩ−ＲＳ送信のためのサブフレームが異なると、ＣＳＩ−ＲＳ設定も異なると見なすことができる。例えば、ＣＳＩ−ＲＳ送信周期（ＴCSI-RS）が異なったり、または、一つの無線フレームにおいてＣＳＩ−ＲＳ送信の設定された開始サブフレーム（ΔCSI-RS）が異なると、ＣＳＩ−ＲＳ設定が異なると見なすことができる。以下では、表８または表９のＣＳＩ−ＲＳ設定番号が与えられたＣＳＩ−ＲＳ設定と、表８または表９のＣＳＩ−ＲＳ設定番号、ＣＳＩ−ＲＳポートの個数および／またはＣＳＩ−ＲＳが設定されたサブフレームによって異なるＣＳＩ−ＲＳ設定と、を区別するために、後者の設定をＣＳＩ−ＲＳリソース設定（CSI-RS resource configuration）と称する。
【０１２４】
ｅＮＢはＵＥにＣＳＩ−ＲＳリソース設定を知らせるとき、ＣＳＩ−ＲＳの送信のために用いられるアンテナポートの個数、ＣＳＩ−ＲＳパターン、ＣＳＩ−ＲＳサブフレーム設定（CSI-RS subframe configuration）ＩCSI-RS、ＣＳＩフィードバックのための参照ＰＤＳＣＨ送信電力に関するＵＥ想定（UE assumption on reference PDSCH transmitted power for CSI feedback）Ｐc、ゼロ電力ＣＳＩ−ＲＳ設定リスト、ゼロ電力ＣＳＩ−ＲＳサブフレーム設定などに関する情報を知らせることができる。
【０１２５】
ＣＳＩ−ＲＳサブフレーム設定ＩCSI-RSは、ＣＳＩ−ＲＳの存在（occurrence）に対するサブフレーム設定周期ＴCSI-RSおよびサブフレームオフセットΔCSI-RSを特定する情報である。下記の表に、ＴCSI-RSおよびΔCSI-RSによるＣＳＩ−ＲＳサブフレーム設定ＩCSI-RSを例示する。
【０１２６】
【表１０】
2015519855.tif 000031
【０１２７】
下記の式（１６）を満たすサブフレームが、ＣＳＩ−ＲＳを含むサブフレームとなる。
【０１２８】
【数２０】
2015519855.tif 000032
【０１２９】
Ｐcは、ＵＥがＣＳＩフィードバックのためのＣＳＩを得るとき、該ＵＥが想定するＣＳＩ−ＲＳ ＥＰＲＥに対するＰＤＳＣＨ ＥＰＲＥの比（ratio of PDSCH EPRE to CSI-RS EPRE）を表す。ＥＰＲＥは、ＲＥ別エネルギ（energy per RE）を意味する。ＣＳＩ−ＲＳ  ＥＰＲＥは、ＣＳＩ−ＲＳが占有するＲＥ当たりのエネルギを意味し、ＰＤＳＣＨ ＥＰＲＥは、ＰＤＳＣＨが占有するＲＥ当たりのエネルギを意味する。
【０１３０】
ゼロ電力ＣＳＩ−ＲＳ設定リストは、ＵＥがゼロ送信電力を想定しなければならないＣＳＩ−ＲＳパターンを示す。例えば、ｅＮＢはゼロ電力ＣＳＩ−ＲＳ設定リストにおいてゼロ送信電力として示されたＣＳＩ−ＲＳ設定に含まれたＲＥではゼロ送信電力で信号を送信するはずであるため、ＵＥは、それらのＲＥ上で受信された信号を干渉と想定したり、それらのＲＥ上で受信された信号を除いて下りリンク信号を復号することができる。表８および表９を参照すると、ゼロ電力ＣＳＩ−ＲＳ設定リストは、４個のアンテナポートに対する１６個のＣＳＩ−ＲＳパターンに一対一で対応する１６−ビットビットマップであってもよい。この１６−ビットビットマップにおいて、最上位ビット（most significant bit）は、最も低いＣＳＩ−ＲＳ設定番号（または、ＣＳＩ−ＲＳ設定インデックスともいう）のＣＳＩ−ＲＳ設定に対応し、続くビットは昇順でＣＳＩ−ＲＳパターンに対応する。ＵＥは、上位層によって設定された１６−ビットのゼロ電力ＣＳＩ−ＲＳビットマップにおいて‘１’に設定されたビットに対応するＣＳＩ−ＲＳパターンのＲＥに対してゼロ送信電力を想定する。以下、ＵＥがゼロ送信電力を想定しなければならないＣＳＩ−ＲＳパターンを、ゼロ電力ＣＳＩ−ＲＳパターンと呼ぶ。
【０１３１】
ゼロ電力ＣＳＩ−ＲＳサブフレーム設定は、ゼロ電力ＣＳＩ−ＲＳパターンを含むサブフレームを特定する情報である。ＣＳＩ−ＲＳサブフレーム設定と同様に、表１０によるＩCSI-RSを用いて、ゼロ電力ＣＳＩ−ＲＳの存在を含むサブフレームをＵＥに設定することができる。ＵＥは、式（１６）を満たすサブフレームがゼロ電力ＣＳＩ−ＲＳパターンを含むと想定できる。ＩCSI-RSは、ＵＥがＲＥに対して非−ゼロ（non-zero）送信電力を想定しなければならないＣＳＩ−ＲＳパターンと、ゼロ送信電力を想定しなければならないゼロ電力ＣＳＩ−ＲＳパターンと、に対して別々に設定することができる。
【０１３２】
３ＧＰＰ ＬＴＥ−Ａシステムに基づく伝送モード（例えば、伝送モード９またはその他の新しく定義される伝送モード）として設定されたＵＥは、ＣＳＩ−ＲＳを用いてチャネル測定を行い、ＵＥ−ＲＳを用いてＰＤＳＣＨを復調または復号することができる。
【０１３３】
図８は、無線通信システムに用いられる上りリンク（ＵＬ）サブフレームの構造を例示する図である。
【０１３４】
図８を参照すると、ＵＬサブフレームは、周波数ドメインで制御領域とデータ領域とに区別できる。一つまたは複数のＰＵＣＣＨが上りリンク制御情報（ＵＣＩ）を運ぶために、制御領域に割り当てられる。一つまたは複数のＰＵＳＣＨがユーザデータを運ぶために、ＵＬサブフレームのデータ領域に割り当てられてもよい。
【０１３５】
ＵＬサブフレームでは、直流（Direct Current；ＤＣ）副搬送波から遠く離れた副搬送波が制御領域として利用される。換言すれば、ＵＬ送信帯域幅の両端部に位置する副搬送波が上りリンク制御情報の送信に割り当てられる。ＤＣ副搬送波は、信号送信に使用されずに残される成分で、周波数アップ変換過程で搬送波周波数ｆ0にマッピングされる。一つのＵＥに対するＰＵＣＣＨは、一つのサブフレームにおいて、一つの搬送波周波数で動作するリソースに属するＲＢ対に割り当てられ、このＲＢ対に属するＲＢは、２つのスロットでそれぞれ異なる副搬送波を占有する。これを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【０１３６】
ＰＵＣＣＨは、下記の制御情報を送信するために用いることができる。
【０１３７】
−  スケジュール要求（Scheduling Request；ＳＲ）：上りリンクＵＬ−ＳＣＨリソースを要求するために用いられる情報である。オンオフ変調（On-Off Keying；ＯＯＫ）方式を用いて送信される。
【０１３８】
−  ＨＡＲＱ−ＡＣＫ：ＰＤＣＣＨに対する応答および／またはＰＤＳＣＨ上の下りリンクデータパケット（例えば、コードワード）に対する応答である。ＰＤＣＣＨまたはＰＤＳＣＨの受信が成功したか否かを示す。単一下りリンクコードワードに対する応答として１ビットのＨＡＲＱ−ＡＣＫが送信され、２つの下りリンクコードワードに対する応答として２ビットのＨＡＲＱ−ＡＣＫが送信される。ＨＡＲＱ−ＡＣＫ応答は、ポジティブＡＣＫ（簡単に、ＡＣＫ）、ネガティブＡＣＫ（以下、ＮＡＣＫ）、不連続送信（Discontinuous Transmission；ＤＴＸ）またはＮＡＣＫ／ＤＴＸを含む。ここで、ＨＡＲＱ−ＡＣＫという用語は、ＨＡＲＱ ＡＣＫ／ＮＡＣＫ、ＡＣＫ／ＮＡＣＫと同じ意味で使われる。
【０１３９】
−  チャネル状態情報（Channel State Information；ＣＳＩ）：下りリンクチャネルに対するフィードバック情報（feedback information）である。ＣＳＩは、チャネル品質インジケータ（Channel Quality Information；ＣＱＩ）、プリコーディング行列インジケータ（Precoding Matrix Indicator；ＰＭＩ）、プリコーディングタイプインジケータ（precoding type indicator）および／またはランク指示（Rank Indication；ＲＩ）で構成することができる。このうち、多入力多出力（Multiple Input Multiple Output；ＭＩＭＯ）−関連フィードバック情報としてはＲＩおよびＰＭＩを含む。ＲＩは、ＵＥが同一の時間−周波数リソースを通じて受信できるストリームの個数またはレイヤ（layer）の個数を意味する。ＰＭＩは、チャネルの空間（space）特性を反映した値であって、ＵＥがＳＩＮＲなどのメトリック（metric）を基準に下りリンク信号送信のために好ましいプリコーディング行列のインデックスを示す。ＣＱＩは、チャネルの強度を示す値であって、通常、ｅＮＢがＰＭＩを用いたときにＵＥによって得られる受信ＳＩＮＲを示す。
【０１４０】
図９は、単一搬送波通信および多重搬送波通信を説明するための図である。特に、図９（ａ）は、単一搬送波のサブフレーム構造を示しており、図８（ｂ）は、多重搬送波のサブフレーム構造を示している。
【０１４１】
図９（ａ）を参照すると、一般的な無線通信システムは、一つのＤＬ帯域とそれに対応する一つのＵＬ帯域とを通じてデータ送信または受信を行ったり（周波数分割二重通信（ＦＤＤ）モードの場合）、所定の無線フレーム（radio frame）を時間ドメインで上りリンク時間ユニットと下りリンク時間ユニットとに区別し、上り／下りリンク時間ユニットを通じてデータ送信または受信を行う（時分割二重通信（ＴＤＤ）モードの場合）。しかし、最近の無線通信システムでは、より広い周波数帯域を用いるために、複数のＵＬおよび／またはＤＬ周波数ブロックを集めてより大きいＵＬ／ＤＬ帯域幅を用いるキャリアアグリゲーション（carrier aggregationまたはbandwidth aggregation）技術の導入が議論されている。キャリアアグリゲーション（Carrier Aggregation；ＣＡ）は、複数の搬送波周波数を用いてＤＬまたはＵＬ通信を行うという点で、複数の直交する副搬送波に分割された基本周波数帯域を一つの搬送波周波数に載せてＤＬまたはＵＬ通信を行うＯＦＤＭシステムとは区別される。以下、キャリアアグリゲーションによってアグリゲーションされる搬送波のそれぞれをコンポーネント搬送波（Component Carrier；ＣＣ）と称する。図９（ｂ）を参照すると、ＵＬおよびＤＬに、それぞれ、３個の２０ＭＨｚのＣＣを束ねて６０ＭＨｚの帯域幅をサポートすることができる。それぞれのＣＣは、周波数ドメインで互いに隣接していてもよく隣接していなくてもよい。図９（ｂ）は、便宜上、ＵＬ ＣＣの帯域幅とＤＬ ＣＣの帯域幅とがいずれも同一であり、かつ対称である場合を示しているが、各ＣＣの帯域幅は独立して定められてもよい。また、ＵＬ ＣＣの個数とＤＬ ＣＣの個数とが異なる非対称的なキャリアアグリゲーションも可能である。特定のＵＥに限定されたＤＬ／ＵＬ ＣＣを、特定のＵＥにおける設定された（configured）サービング（serving）ＵＬ／ＤＬ ＣＣと呼ぶことができる。
【０１４２】
一方、３ＧＰＰ ＬＴＥ−Ａ標準は、無線リソースを管理するためにセル（cell）の概念を用いる。無線リソースと関連付けられた“セル”とは、下りリンクリソース（DL resources）および上りリンクリソース（UL resources）の組合せ、すなわち、ＤＬ ＣＣとＵＬ ＣＣとの組合せとして定義される。セルは、ＤＬリソース単独、または、ＤＬリソースおよびＵＬリソースの組合せで設定する（configure）ことができる。キャリアアグリゲーションがサポートされる場合、ＤＬリソース（またはＤＬ ＣＣ）の搬送波周波数（carrier frequency）とＵＬリソース（または、ＵＬ ＣＣ）の搬送波周波数との間のリンケージ（linkage）は、システム情報で示すことができる。例えば、システム情報ブロックタイプ２（ＳＩＢ２）のリンケージによって、ＤＬリソースとＵＬリソースとの組合せを示すことができる。ここで、搬送波周波数とは、各セルまたはＣＣの中心周波数を意味する。以下では、１次周波数（primary frequency）上で動作するセルを１次セル（Primary cell；Ｐｃｅｌｌ）またはＰＣＣと呼び、２次周波数（Secondary frequency）（またはＳＣＣ）上で動作するセルを２次セル（Secondary cell；Ｓｃｅｌｌ）またはＳＣＣと呼ぶ。下りリンクでＰｃｅｌｌに対応する搬送波は、下りリンク１次ＣＣ（ＤＬ ＰＣＣ）と呼び、上りリンクでＰｃｅｌｌに対応する搬送波は、ＵＬ１次ＣＣ（ＤＬ ＰＣＣ）と呼ぶ。Ｓｃｅｌｌとは、無線リソース制御（Radio Resource Control；ＲＲＣ）接続確立（connection establishment）がなされた後に設定可能であり、かつ追加の無線リソースの提供のために利用可能なセルを意味する。ＵＥの性能（capabilities）によって、ＳｃｅｌｌがＰｃｅｌｌと共に、当該ＵＥのためのサービングセルのセット（set）を形成することができる。下りリンクでＳｃｅｌｌに対応する搬送波はＤＬ２次ＣＣ（ＤＬ ＳＣＣ）と呼び、上りリンクでＳｃｅｌｌに対応する搬送波はＵＬ２次ＣＣ（ＵＬ ＳＣＣ）と呼ぶ。ＲＲＣ＿ＣＯＮＮＥＣＴＥＤ状態であるが、キャリアアグリゲーションが設定されていないかまたはキャリアアグリゲーションをサポートしないＵＥの場合、Ｐｃｅｌｌのみで設定された一つのサービングセルしか存在しない。
【０１４３】
ｅＮＢは、上記ＵＥに設定されたサービングセルの一部またはすべてを活性化（activate）したり、一部を非活性化（deactivate）することで、ＵＥとの通信に用いることができる。上記ｅＮＢは、活性化／非活性化されるセルを変更でき、活性化／非活性化されるセルの個数を変更できる。ｅＮＢがＵＥに利用可能なセルをセル−固有またはＵＥ−固有に割り当てると、上記ＵＥに対するセル割当が全面的に再設定（reconfigure）されたり、上記ＵＥがハンドオーバ（handover）しない限り、割り当てられたセルのうち少なくとも一つは非活性化されない。ＵＥに対するセル割当の全面的な再設定でない限り、非活性化されないセルをＰｃｅｌｌということができる。ｅＮＢが自由に活性化／非活性化させ得るセルをＳｃｅｌｌといいうことができる。ＰｃｅｌｌとＳｃｅｌｌとは、制御情報を基準に区別することもできる。例えば、特定の制御情報は特定のセルのみで送受信されるように設定することができるが、このような特定のセルをＰｃｅｌｌとし、残りのセルをＳｃｅｌｌとすることができる。
【０１４４】
図１０は、キャリアアグリゲーションをサポートするシステムにおけるセルの状態を例示する図である。
【０１４５】
図１０において、設定されたセル（configured cell）とは、ｅＮＢのセルのうち、他のｅＮＢまたはＵＥからの測定報告に基づいてＵＥのためにキャリアアグリゲーションが行われたセルであって、ＵＥ別に設定される。ＵＥに設定されたセルは、ＵＥの観点ではサービングセルといえる。ＵＥに設定されたセル、すなわち、サービングセルは、ＰＤＳＣＨ送信に対するＡＣＫ／ＮＡＣＫ送信のためのリソースがあらかじめリザーブされる。活性化されたセルは、上記ＵＥに関して設定されたセルのうち、実際にＰＤＳＣＨ／ＰＵＳＣＨ送信に用いられるように設定されたセルであって、ＰＤＳＣＨ／ＰＵＳＣＨ送信のためのＣＳＩ報告とＳＲＳ送信が、活性化されたセル上で行われる。非活性化されたセルは、ｅＮＢの命令またはタイマ（timer）の動作によってＰＤＳＣＨ／ＰＵＳＣＨ送信に用いられないように設定されたセルであって、当該セルが非活性化されると、ＣＳＩ報告およびＳＲＳ送信も当該セルで中断される。参考として、図１０において、ＣＩは、上述したサービングセルインデックスを意味し、ＣＩ＝０がＰｃｅｌｌのために適用される。
【０１４６】
３ＧＰＰ ＬＴＥ／ＬＴＥ−Ａシステムには、チャネル情報のフィードバックを伴わずに運用される開ループ（open-loop）ＭＩＭＯと、チャネル情報のフィードバックを用いる閉ループ（closed-loop）ＭＩＭＯと、の２種類の送信方式が存在する。閉ループＭＩＭＯの場合、送信端および受信端は、それぞれＭＩＭＯアンテナの多重化利得（multiplexing gain）を得るために、チャネル情報、すなわち、ＣＳＩに基づいてビームフォーミング（beamforming）を行う。ＣＳＩを報告するためにＵＥで利用可能な時間および周波数リソースは、ｅＮＢによって制御される。例えば、ｅＮＢは、下りリンクＣＳＩを得るために、ＵＥにＰＵＣＣＨまたはＰＵＳＣＨを割り当て、下りリンクＣＳＩをフィードバックするように命令する。
【０１４７】
ＣＳＩ報告は、周期的または非周期的に設定される。周期的ＣＳＩ報告は、特殊な場合（例えば、ＵＥが同時の（simultaneous）ＰＵＳＣＨおよびＰＵＣＣＨ送信のために設定されず、ＰＵＣＣＨの送信時点がＰＵＳＣＨ割当のあるサブフレーム（subframe with PUSCH allocation）と衝突する場合）でない限り、ＰＵＣＣＨ上でＵＥにより送信される。ＣＳＩのうち、ＲＩは、長周期フェーディング（long term fading）によって優位に（dominantly）に決定されるため、一般に、ＰＭＩおよびＣＱＩよりも長い周期でＵＥからｅＮＢにフィードバックされる。一方、非周期的ＣＳＩ報告は、ＰＵＳＣＨ上で送信される。非周期的ＣＳＩ報告は、上りリンクデータのスケジューリングのためのＤＣＩ（例えば、ＤＣＩフォーマット０または４のＤＣＩ）（以下、上りリンクＤＣＩフォーマット）に含まれたＣＳＩ要求フィールド（CSI request field）によってトリガ（trigger）される。サブフレームｎで特定のサービングセル（以下、サービングセルｃ）のための上りリンクＤＣＩフォーマットまたはランダムアクセス応答グラント（random access response grant）を復号したＵＥは、当該ＣＳＩ要求フィールドがＣＳＩ報告をトリガするようになっており、当該ＣＳＩ要求フィールドがリザーブされた（reserved）ものでなければ、上記サービングセルｃ上のサブフレームｎ＋ｋでＰＵＳＣＨを用いて非周期的ＣＳＩ報告を行う。このＰＵＳＣＨは、サブフレームｎで復号された上りリンクＤＣＩフォーマットによってサブフレームｎ＋ｋで送信されるＰＵＳＣＨである。ＦＤＤの場合、ｋ＝４である。ＴＤＤの場合、ｋは下記の表によって与えられる。
【０１４８】
【表１１】
2015519855.tif 000033
【０１４９】
例えば、ＴＤＤ ＵＬ／ＤＬ設定が６であるＵＥが、サブフレーム９でサービングセルｃに対する上りリンクＤＣＩフォーマットを検出すると、該ＵＥは、サブフレーム９＋５、すなわち、上記上りリンクＤＣＩフォーマットが検出されたサブフレーム９を含む無線フレームに続く無線フレームのサブフレーム４で、上記サービングセルｃのＰＵＳＣＨ上で上記検出された上りリンクＤＣＩフォーマットにおけるＣＳＩ要求フィールドによってトリガされた非周期的ＣＳＩ報告を行う。
【０１５０】
現在、ＣＳＩ要求フィールドの長さは１ビットまたは２ビットである。ＣＳＩ要求フィールドが１ビットなら、‘１’に設定されたＣＳＩ要求フィールドは、サービングセルｃに対する非周期的ＣＳＩ報告をトリガする。ＣＳＩ要求フィールドが２ビットなら、下記の表の値に対応する非周期的ＣＳＩ報告がトリガされる。すなわち、下記の表は、上りリンクＤＣＩフォーマットを有するＰＤＣＣＨに対するＣＳＩ要求フィールドを示す。
【０１５１】
【表１２】
2015519855.tif 000034
【０１５２】
最近、ＬＴＥ／ＬＴＥ−ＡシステムにＣｏＭＰ技術を適用することが考慮されている。ＣｏＭＰ技術は、複数のノードを伴う（involve）。ＣｏＭＰ技術がＬＴＥ／ＬＴＥ−Ａシステムに導入されると、ＣｏＭＰ技術に関連する新しい伝送モードが定義されうる。複数のノードが通信に参加する方式によって、ＵＥが受信するＣＳＩ−ＲＳの設定が様々に存在しうる。そのため、既存のＬＴＥシステムでは、ＵＥがＣＳＩ−ＲＳに対して非−ゼロ送信電力を想定しなければならないＣＳＩ−ＲＳ設定またはＣＳＩ−ＲＳリソース設定として最大１個を用いることができたが、ＣｏＭＰが設定されたＵＥ、すなわち、ＣｏＭＰモードとして設定されたＵＥの場合は、該ＵＥのために利用可能なＣＳＩリソース設定の最大個数が１個以上になる。ＵＥが一つまたは複数（one or more）のＣＳＩ−ＲＳリソース設定で設定されうるモードとして設定された場合、すなわち、ＵＥがＣｏＭＰモードとして設定された場合、該ＵＥは、一つまたは複数のＣＳＩ−ＲＳリソース設定に関する情報を含む上位層信号を受信することができる。ＣｏＭＰに加えてキャリアアグリゲーション（以下、ＣＡ）もＵＥに設定された場合、サービングセル別に一つまたは複数のＣＳＩ−ＲＳリソース設定が用いられてもよい。
【０１５３】
一方、既存のＬＴＥ／ＬＴＥ−Ａシステムでは、ＵＥは、特定のサービングセル上では一つのノードに／から信号を送信／受信した。すなわち、既存のＬＴＥ／ＬＴＥ−Ａシステムでは、一つのサービングセル上には一つの無線リンクのみが存在するため、ＵＥは、一つのサービングセルに対して一つのＣＳＩのみを計算できる。これに対し、複数のノードを伴うＣｏＭＰでは、ノード別またはノードの組合せ別に、下りリンクチャネル状態が異なることがある。ノードまたはノードの組合せによってＣＳＩ−ＲＳリソースの設定が異なることがあるため、ＣＳＩは、ＣＳＩ−ＲＳリソースと関連付けられる。また、ＣｏＭＰに参加するノード間の干渉環境によってもチャネル状態が異なることがある。換言すれば、ＣｏＭＰが設定されると、ノード別またはノードの組合せ別にＵＥでチャネル状態を測定でき、干渉環境別にＣＳＩが存在できるため、ＵＥのサービングセル別に計算可能なＣＳＩの最大個数が１よりも大きい整数となりうる。ＵＥがＣＳＩを得るために、ＵＥがどのＣＳＩをどのように報告すればよいかが上位層によって設定されてもよい。ＣｏＭＰが設定されると、ＵＥで１個のＣＳＩを計算できる他、複数のＣＳＩも計算できる。したがって、ＵＥがＣｏＭＰモードとして設定されると、周期的または非周期的ＣＳＩ報告のために、当該ＵＥのサービングセル別に一つまたは複数のＣＳＩに対するＣＳＩ報告が設定されうる。
【０１５４】
一方、上述した通り、ＣｏＭＰにおいて、ＣＳＩは、チャネル測定に用いられるＣＳＩ−ＲＳリソースと干渉測定に用いられるリソース（以下、干渉測定（Interference Measurement；ＩＭ）リソース）とに関連付けられる。以下、信号測定のための一つのＣＳＩ−ＲＳリソースと干渉測定のための一つのＩＭリソースとの関連付け（association）を、ＣＳＩプロセス（CSI process）と呼ぶ。すなわち、ＣＳＩプロセスは、一つのＣＳＩ−ＲＳリソースおよびＩＭリソース（IM Resource；ＩＭＲ）と関連付けられうる。
【０１５５】
ＵＥが接続しているｅＮＢ、またはＵＥが位置しているセルのノードを管理するｅＮＢ（以下、サービングｅＮＢ）は、ＩＭリソース上では何ら信号を送信しないことが望ましい。したがって、ＩＭリソースは、ゼロ−電力ＣＳＩ−ＲＳと同様の方式でＵＥに設定されてもよい（configured）。例えば、ｅＮＢは、ＵＥが干渉測定に使用するリソース要素を、上述したゼロ電力ＣＳＩ−ＲＳパターンを示す１６−ビットのビットマップおよびＣＳＩ−ＲＳサブフレーム設定を用いて、ＵＥに知らせることができる。このようにＩＭリソースが明示的にＵＥに設定される場合、ＵＥは当該ＩＭリソースで干渉を測定し、この干渉がＣＳＩ測定の基準となるＣＳＩ参照リソースでの干渉だと想定してＣＳＩを計算する。さらにいうと、ＵＥは、ＣＳＩ−ＲＳまたはＣＲＳに基づいてチャネル測定を行い、ＩＭリソースに基づいて干渉測定を行って、このチャネル測定および干渉測定に基づいてＣＳＩを得ることができる。
【０１５６】
したがって、ＵＥによって報告される一つのＣＳＩは、一つのＣＳＩプロセスに対応しうる。各ＣＳＩプロセスは、独立したＣＳＩフィードバック設定を有することができる。独立したフィードバック設定とは、フィードバックモード、フィードバック周期およびフィードバックオフセットなどを意味する。フィードバックオフセットは、無線フレームにおけるサブフレームのうち、フィードバックを有する開始サブフレームに対応する。フィードバックモードは、ＲＩ、ＣＱＩ、ＰＭＩおよびＴＰＭＩのうち、フィードバックされるＣＳＩに含まれるＣＱＩが、広帯域（wideband）に対するＣＱＩか、サブバンド（subband）に対するＣＱＩか、もしくはＵＥによって選択されたサブバンドに対するＣＱＩかによって、ＣＳＩがＰＭＩを含むか否かによって、並びに、ＣＳＩが単一ＰＭＩを含むかもしくは複数のＰＭＩを含むかによって、異なるように定義できる。
【０１５７】
図１１は、キャリアアグリゲーションおよびＣｏＭＰ環境によって設定可能なリンクを例示する図である。図１１において、ｆ１、ｆ２、ｆ３およびｆ４は、ｅＮＢ１および／またはｅＮＢ２がＵＥとの通信に用いるセルが動作する搬送波周波数に該当する。
【０１５８】
図１１（ａ）のように、ＵＥが単一サービングセルを有すると、ｅＮＢは１ビットのＣＳＩ要求フィールドをＤＣＩフォーマット０または４（以下、ＤＣＩフォーマット０／４）を用いてＵＥに送信する。図１１（ｂ）のように、ＵＥがＣＡ環境で複数のサービングセルを有すると、ｅＮＢは、表１２による２ビットのＣＳＩ要求フィールドをＤＣＩフォーマット０／４を用いてＵＥに送信する。したがって、ＵＥは、一つのサービングセルのみを有する場合、ＤＣＩフォーマット０／４のＣＳＩ要求フィールドを１ビットとして解釈し、ＣＡ環境で複数のサービングセルを有する場合は、ＤＣＩフォーマット０／４のＣＳＩ要求フィールドを２ビットとして解釈することができる。すなわち、ＣｏＭＰモードが設定されていない場合、上述した通り、ＣＡが設定されるか否かによって、１ビットまたは２ビットＣＳＩ要求フィールドを用いて非周期的ＣＳＩ報告をトリガすることができる。
【０１５９】
しかしながら、上述した通り、ＣｏＭＰ環境では、サービングセル別に複数のＣＳＩ、すなわち、複数のＣＳＩプロセスが設定されうる。サービングセルｃに対して一つまたは複数のＣＳＩが設定されうる伝送モード（すなわち、ＣｏＭＰモード）において非周期的ＣＳＩ報告をトリガする方法が問題となる。
【０１６０】
図１１（ｃ）のように、ＵＥが単一セルを有し、すなわち、ＵＥに一つのサービングセルのみが設定され、そのセルに対してＣｏＭＰのための多重ＣＳＩが設定された場合、または、図示してはいないが、ＵＥが単一セルを有し、そのセルに対してＣｏＭＰのための多重ＣＳＩ、すなわち、多重ＣＳＩプロセスが設定された場合、ＣＳＩ要求フィールドをどのように使用し、解釈するかを定める必要がある。
【０１６１】
また、図１１（ｄ）のように、ＵＥがＣＡ環境で複数のサービングセルを有し、その一部またはすべてのサービングセルに対してＣｏＭＰのための多重ＣＳＩ、すなわち、多重ＣＳＩプロセスが設定された場合、ＣＳＩ要求フィールドをどのように使用し、解釈するかを定める必要がある。本発明では、便宜上、ＵＥがＣＡ環境で複数のサービングセルを有し、その一部またはすべてのサービングセルのためにＣｏＭＰのための多重ＣＳＩが設定された環境を、ＣＡ＋ＣｏＭＰ環境と呼ぶ。すなわち、ＵＥが、複数のサービングセルが設定され、これらの複数のサービングセルのうち少なくとも一つに対して一つまたは複数のＣＳＩプロセスが設定されうる伝送モードとして設定された場合、ＵＥがＣＡ＋ＣｏＭＰ環境下にあると見なす。また、ＣＡ＋ＣｏＭＰ環境でＣｏＭＰおよびＣＡの両方に用いられるサービングセルをＣｏＭＰセルと呼び、ＣｏＭＰには用いられず、ＣＡにのみ用いられるセルを非−ＣｏＭＰ（non-CoMP）セルと呼ぶ。以下、ＣＡ＋ＣｏＭＰ環境でＣＳＩ要求フィールドを設定し解釈する方法について提案する。説明の便宜のために、ＣＡ＋ＣｏＭＰが設定された場合を例にして本発明の実施例が説明されるが、本発明の実施例は、ＣＡは設定されず、ＣｏＭＰのみが設定された場合にも、同様の方式で適用可能である。すなわち、本発明の実施例はＣｏＭＰモードとして設定されたＵＥに対して適用されてもよい。
【０１６２】
Ａ．ＣＳＩ要求フィールドの内容（Contents of CSI request field）
本発明の実施例Ａは、ＣＡ＋ＣｏＭＰ環境におけるＣＳＩ要求フィールドを提案する。ＣＳＩ要求フィールドは、２ビットまたはそれ以上のビットで構成することができる。本発明では、下記の説明（description）のすべてまたは一部に対するＣＳＩ要求が、ＣＳＩ要求フィールドにおいて用いられることを提案する。このとき、非周期的ＣＳＩは、表１１および表１２に関する説明で説明されたように、サービングセルｃのＰＵＳＣＨによって報告されると仮定する。
-       “No aperiodic CSI report is triggered”
-      “periodic CSI report is triggered for all CSI processes for serving cell c”
-      “Aperiodic CSI report is triggered for a CSI processes for serving cell c”
-      “Aperiodic CSI report is triggered for a set of CSI processes for serving cell c”
-      “Aperiodic CSI report is triggered for a set of CSIs for Pcell”
-      “Aperiodic CSI report is triggered for all CSI processes for Pcell”
-      “Aperiodic CSI report is triggered for a set of CSI processes for a serving cell configured by higher layers”
-      “Aperiodic CSI report is triggered for a set of CSI processes for a set of serving cells configured by higher layers”
-      “Aperiodic CSI report is triggered for a set of CSI processes for all serving cells”
-      “Aperiodic CSI report is triggered for the first CSI-RS (or CSI-RS resource + IM resource) set for Pcell”
-      “Aperiodic CSI report is triggered for the first CSI-RS (or CSI-RS resource + IM resource) set for a serving cell configured by higher layers”
-      “Aperiodic CSI report is triggered for the first CSI-RS (or CSI-RS resource + IM resource) set for a set of serving cells configured by higher layers”
-      “Aperiodic CSI report is triggered for the first CSI-RS (or CSI-RS resource + IM resource) set for all serving cells configured by higher layers”
【０１６３】
ここで、“Aperiodic CSI report is triggered for a set of CSI processes for serving cell c”とは、サービングセルｃのＣＳＩプロセスのうち、上位層（例えば、ＲＲＣ）によって設定された一部またはすべてのＣＳＩプロセスを報告することを意味する。ＵＥがＣｏＭＰモードとして設定されると、サービングセルｃに一つまたはそれ以上のＣＳＩプロセスが設定されうるが、上記ＵＥが“Aperiodic CSI report is triggered for a set of CSI processes for serving cell c”に対応する値にセットされたＣＳＩ要求フィールドを受信すると、上記ＵＥは、上記サービングセルｃに対して設定されたＣＳＩプロセスのうち、上位層（例えば、ＲＲＣ）によって設定された一連のＣＳＩプロセス（a set of CSI process(es)）に対する非周期的ＣＳＩ報告を行う。また“Aperiodic CSI report is triggered for a set of CSI processes for a set of serving cells configured by higher layers”とは、上位層（例えば、ＲＲＣ）によって設定された一連のサービングセル（a set of serving cells）の全ＣＳＩプロセスのうち、上位層によって設定された一部またはすべてのＣＳＩプロセスを報告することを意味する。
【０１６４】
上位層によって設定され、上記の説明（description）のうち一つを示すように設定されたＣＳＩ要求フィールドによってトリガされてフィードバックされるべきＣＳＩは、非周期的ＣＳＩ報告を運ぶＰＵＳＣＨが割り当てられたサービングセルｃによって異なることがある。
【０１６５】
本発明は、ＣＡ＋ＣｏＭＰ環境でのＣＳＩ要求フィールドに設定可能な値の例として表１３および表１４を提案する。
【０１６６】
【表１３】
2015519855.tif 000035
【０１６７】
【表１４】
2015519855.tif 000036
【０１６８】
サブフレームｎで特定のサービングセルのための上りリンクＤＣＩを受信したとき、すなわち、上りリンクＤＣＩフォーマットにおいてＣＩＦが上記特定のセルのサービングセルインデックスにセットされた該上りリンクＤＣＩフォーマットを受信したとき、ＣＡ＋ＣｏＭＰ環境下のＵＥは、ＣＳＩ要求フィールドによってトリガされた非周期的ＣＳＩ報告を、表１３または表１４に従って、サブフレームｎ＋ｋで、上記特定のサービングセルのＰＵＳＣＨ上で送信することができる。表１３を参照すると、例えば、ＵＥがＣＡ＋ＣｏＭＰ環境で‘００’にセットされたＣＳＩ要求フィールドを受信すると、上記特定のサービングセルのＰＵＳＣＨ上で何ら非周期的ＣＳＩ報告を行わない。他の例として、ＵＥがＣＡ＋ＣｏＭＰ環境から‘０１’にセットされたＣＳＩ要求フィールドを受信すると、非周期的ＣＳＩ報告が、上記特定のサービングセルのＣＳＩプロセスのうち、上位層によって設定された一連のＣＳＩプロセスに対してトリガされることがわかり、上記ＵＥは、上記特定のサービングセルのＰＵＳＣＨ上で、上記一連のＣＳＩプロセスに対する非周期的ＣＳＩ報告を送信する。上記非周期的ＣＳＩ報告は、上記ＣＳＩプロセスに対するＣＳＩを含むことができる。他の例として、ＣＡ＋ＣｏＭＰ環境でＵＥが‘１０’にセットされたＣＳＩ要求フィールドを受信すると、非周期的ＣＳＩ報告が、上位層によって設定された一連のサービングセルに対する全ＣＳＩプロセスのうち、一連のＣＳＩプロセスに対してトリガされ、ＣＡ＋ＣｏＭＰ環境でＵＥが‘１１’にセットされたＣＳＩ要求フィールドを受信すると、非周期的ＣＳＩ報告が、上位層によって設定された他の一連のサービングセルに対する全ＣＳＩプロセスのうち、一連のＣＳＩプロセスに対してトリガされることがわかる。
【０１６９】
本発明の実施例Ａによれば、ＣｏＭＰ環境でもＣＳＩ要求ビットを既存と同じ個数のビットで形成することができる。
【０１７０】
Ｂ．ＣＳＩ要求フィールドの構成（Composition of CSI request field）
ｅＮＢは、ＣＡ＋ＣｏＭＰおよび／またはＣｏＭＰ環境にあるＵＥに、ＤＣＩフォーマット０／４をＵＥ ＳＳを通じて送信するとき、ＣＳＩ要求フィールドのために２ビットまたはそれ以上のビットを用いることができる。したがって、ＣＡ＋ＣｏＭＰおよび／またはＣｏＭＰ環境でＣＳＩ要求フィールドを様々な方式で構成することができる。例えば、ＣＳＩ要求フィールドを、下記の方式のいずれかによって構成することができる。
【０１７１】
−  ＣＡ＋ＣｏＭＰおよび／またはＣｏＭＰ環境でＣＳＩ要求フィールドを用いる場合、ＣＳＩ要求フィールドのビットのうち１ビットを、ＣｏＭＰ／ＣＡ指示のために用いることができる。このビットは、ＣＳＩ要求フィールドの残りのビットがＣｏＭＰ環境のためのＣＳＩ要求フィールドとして解釈されるか、或いは、ＣＡ環境のためのＣＳＩ要求フィールドとして解釈されるかを示す。したがって、ＵＥは、受信したＤＣＩフォーマット０／４のＣＳＩ要求フィールドを解釈する場合、ＣＳＩ要求フィールドの特定の１ビットから、残りのビットをＣｏＭＰ用ＣＳＩ要求フィールドとして解釈するか、ＣＡ用ＣＳＩ要求フィールドとして解釈するかを決定する。例えば、ＣＳＩ要求フィールドの特定のビットが‘０’にセットされていると、上記ＵＥは、上記ＣＳＩ要求フィールドの残りのビットに基づいて、表１１および表１２に関する説明と同様の方式で、非周期的ＣＳＩ報告がどのサービングセルに対してトリガされるかを判断できる。一方、ＣＳＩ要求フィールドの特定のビットが‘１’にセットされていると、上記ＵＥは、上記ＣＳＩ要求フィールドの残りのビットを、本発明の実施例Ａで説明された方式によって、非周期的ＣＳＩ報告がどのＣＳＩプロセスに対してトリガされるかを判断できる。
【０１７２】
−  ＣＡ＋ＣｏＭＰおよび／またはＣｏＭＰ環境でＣＳＩ要求フィールドを用いる場合、ＣＳＩ要求フィールドの一部の値は、特定の非周期的ＣＳＩ報告を示すように固定し、残りの値は、上位層（例えば、ＲＲＣ）によって設定された一連のＣＳＩ、すなわち、一連のＣＳＩプロセスを示すために用いることができる。この一連のＣＳＩは、各非−ＣｏＭＰセルのＣＳＩと各ＣｏＭＰセルの様々なＣＳＩとの組合せでもよい。例えば、３ビットのＣＳＩ要求フィールドの値が０００の場合は、何ら非周期的ＣＳＩ報告がトリガされないこと（no aperiodic CSI report is triggered）を意味し、残りのＣＳＩ要求フィールドの値は、上位層（例えば、ＲＲＣ）によって設定された一連のＣＳＩを示すことができる。他の例として、ＣＳＩ要求フィールドの値が０００の場合は、何ら非周期的ＣＳＩ報告がトリガされないこと（no aperiodic CSI report is triggered）を意味し、ＣＳＩ要求フィールドの値が００１の場合は、非周期的ＣＳＩ ＰＵＳＣＨ送信に用いられるセルに対する非周期的ＣＳＩ報告を意味し、残りのＣＳＩ要求フィールドの値は、上位層（例えば、ＲＲＣ）によって設定された一連のＣＳＩを意味できる。
【０１７３】
−  ＣＡ＋ＣｏＭＰおよび／またはＣｏＭＰ環境でＣＳＩ要求フィールドを用いる場合、ＣＳＩ要求フィールドは、本発明の実施例Ａで提示された内容のいずれか一つによって設定（configure）されてもよい。すなわち、本発明の実施例Ｂで、ＣｏＭＰ用ＣＳＩ要求フィールドは、本発明の実施例Ａによって与えられてもよい。本発明の実施例Ｂにおいて、ＣＡ用ＣＳＩ要求フィールドは、表１１および表１２に関する説明によって与えることができる。例えば、ＣＡ用ＣＳＩ要求フィールドが１ビットなら、‘１’にセットされたＣＳＩ要求フィールドは、サービングセルｃに対する非周期的ＣＳＩ報告をトリガする。ＣＡ用ＣＳＩ要求フィールドが２ビットなら、表１２の値に対応する非周期的ＣＳＩ報告がトリガされる。
【０１７４】
Ｃ．セルまたはセルグループごとに独立して一連のＣＳＩを設定
本発明の実施例Ｃは、ＣｏＭＰ＋ＣＡ環境において、サービングセルを複数のグループに分け、グループごとにＣＳＩセット（CSI set）に対するＲＲＣ設定を独立して行うことを提案する。または、ＣｏＭＰ＋ＣＡ環境において、サービングセルごとにＣＳＩセットに対するＲＲＣ設定を独立して行うことを提案する。すなわち、本発明の実施例Ｃは、ＣｏＭＰ＋ＣＡ環境において、非周期的ＣＳＩ ＰＵＳＣＨを送信するサービングセル、すなわち、非周期的ＣＳＩを運ぶＰＵＳＣＨが割り当てられるサービングセルを複数のグループに分け、ＣＳＩ要求フィールドによってトリガされうるＣＳＩのセット、すなわち、ＣＳＩセットをサービングセルグループ別に独立して設定することができる。この場合、ＣＳＩ要求フィールドによってトリガされた非周期的ＣＳＩ報告を運ぶＰＵＳＣＨが、どのサービングセルグループに属するサービングセルのＰＵＳＣＨかによって、同一ＣＳＩ要求フィールド値が異なるＣＳＩセットをトリガすることができると解釈されてもよい。または、本発明の実施例Ｃは、ＣＳＩ要求フィールドによってトリガされうるＣＳＩセットを、サービングセル別に独立して設定してもよい。
【０１７５】
各セルまたはセルグループのＣＳＩ要求フィールドには、ＲＲＣによって設定されたＣＳＩのセットに対する非周期的ＣＳＩ報告の意味を有する値が含まれる。表１０を参照すると、既存のＣＡのためのＲＲＣによって設定されたサービングセルのセットは、どのサービングセルが非周期的ＣＳＩ ＰＵＳＣＨを送信しても、すなわち、どのサービングセルが非周期的ＣＳＩ報告を運ぶＰＵＳＣＨがマッピングされたセルかにかかわらず、すべてのサービングセルに対して同一である。しかし、本発明の実施例Ｃによれば、ＣＳＩ要求フィールドのためにＲＲＣによって設定されたＣＳＩのセットは、同じグループに属するサービングセルに非周期的ＣＳＩ ＰＵＳＣＨがトリガされる場合には同一であるが、異なるグループに属するサービングセルに非周期的ＣＳＩ ＰＵＳＣＨがトリガされると、当該異なるグループに属するサービングセルに対しても上記ＣＳＩのセットが必ずしも同一であるとはいえない。或いは、各サービングセルに対してＣＳＩ要求フィールドのためのＣＳＩセットが独立して設定されるため、同じサービングセルでない限り、ＣＳＩ要求フィールドの値が同一であるとしても、非周期的ＣＳＩ ＰＵＳＣＨを運ぶサービングセルが異なると、上記ＣＳＩ要求フィールドが必ずしも同一のＣＳＩセットに対する報告をトリガするとは限らない。
【０１７６】
例えば、４個のサービングセルが存在するとき、セル１およびセル２をグループ１、セル３およびセル４をグループ２とし、グループ１に対して非周期的ＣＳＩ ＰＵＳＣＨがトリガされる場合、すなわち、グループ１に属するサービングセルのＰＵＳＣＨ上で非周期的ＣＳＩ報告が送信される場合のためにＲＲＣによって設定された２個のＣＳＩセットは、｛ＣＳＩ １、ＣＳＩ １＋ＣＳＩ ２｝であり、グループ２に対して非周期的ＣＳＩ ＰＵＳＣＨがトリガされる場合のためにＲＲＣによって設定された２個のＣＳＩセットは、｛ＣＳＩ １＋ＣＳＩ ３、ＣＳＩ １＋ＣＳＩ ２＋ＣＳＩ ３｝であってもよい。このとき、セル１またはセル２に対して非周期的ＣＳＩ ＰＵＳＣＨがトリガされる場合、ＣＳＩ要求フィールドによって示されるＣＳＩセットは、｛ＣＳＩ １，ＣＳＩ １＋ＣＳＩ ２｝のうちの一つとして解釈し、セル３またはセル４に対して非周期的ＣＳＩ ＰＵＳＣＨがトリガされる場合、ＣＳＩ要求フィールドによって示されるＣＳＩセットは、｛ＣＳＩ １＋ＣＳＩ ３、ＣＳＩ １＋ＣＳＩ ２＋ＣＳＩ ３｝のうちの一つとして解釈できる。
【０１７７】
本発明の実施例Ｃにおいて、ＣｏＭＰが設定されたＵＥは、ＣＳＩ要求フィールドを本発明の実施例Ａによって解釈することができる。
【０１７８】
Ｄ．ＣｏＭＰセルと非−ＣｏＭＰセルに対して異なるＣＳＩ要求フィールドを使用
本発明の実施例Ｄは、ＣｏＭＰセルに対して非周期的ＣＳＩ ＰＵＳＣＨがトリガされる場合、すなわち、上記ＣｏＭＰセルのＰＵＳＣＨ上で非周期的ＣＳＩ報告が行われなければならない場合には、ＣＳＩ要求フィールドをＣｏＭＰ用ＣＳＩ要求フィールドとして解釈し、非−ＣｏＭＰセルに非周期的ＣＳＩ ＰＵＳＣＨがトリガされる場合には、ＣＳＩ要求フィールドをＣＡ用ＣＳＩ要求フィールドとして解釈することを提案する。本発明の実施例Ｄによれば、例えば、図１１（ｄ）の状況において、ｆ１セルに非周期的ＣＳＩ ＰＵＳＣＨがトリガされる場合、すなわち、ｆ１セルに非周期的ＣＳＩ ＰＵＳＣＨが割り当てられる場合は、ＵＥがＣＳＩ要求フィールドをＣｏＭＰ用ＣＳＩ要求フィールドとして解釈するが、ｆ２セル、ｆ３セル、ｆ４セルに非周期的ＣＳＩ ＰＵＳＣＨがトリガされる場合は、ＵＥがＣＳＩ要求フィールドをＣＡ用ＣＳＩ要求フィールドとして解釈する。
【０１７９】
図１２は、本発明の一実施例を説明するための図である。
【０１８０】
代替として、本発明の実施例Ｄは、ＣＡ＋ＣｏＭＰ環境におけるＣＳＩ要求フィールドを設定する方法として、本発明では、一つのＣｏＭＰセルに非周期的ＣＳＩ ＰＵＳＣＨがトリガされる場合は、ＣＳＩ要求フィールドを当該セルにおけるＣｏＭＰ用ＣＳＩ要求フィールドとして解釈し、非−ＣｏＭＰセルに非周期的ＣＳＩ ＰＵＳＣＨがトリガされる場合は、ＣＳＩ要求フィールドをＣＡ用ＣＳＩ要求フィールドとして解釈することを提案する。図１２を参照すると、１つまたは複数のＣｏＭＰを行うセル、すなわち、ＣｏＭＰモードが設定されたセルが存在するとき、ｆ１セルに対して非周期的ＣＳＩ ＰＵＳＣＨがトリガされる場合は、ＣＳＩ要求フィールドを、ｆ１セルのＣｏＭＰ環境のみを考慮してＣｏＭＰ用ＣＳＩ要求フィールドとして解釈し、ｆ２セルに対して非周期的ＣＳＩ ＰＵＳＣＨがトリガされる場合は、ＣＳＩ要求フィールドを、ｆ２セルのＣｏＭＰ環境のみを考慮してＣＡ用ＣＳＩ要求フィールドとして解釈し、ｆ３セルに対して非周期的ＣＳＩ ＰＵＳＣＨがトリガされる場合は、ＣＳＩ要求フィールドを、ＣＡ用ＣＳＩ要求フィールドとして解釈することを提案する。
【０１８１】
本発明の実施例Ｄにおいて、ＣｏＭＰ用ＣＳＩ要求フィールドを本発明の実施例Ａによって与えることができる。本発明の実施例Ｄにおいて、ＣＡ用ＣＳＩ要求フィールドは、表１１および表１２に関する説明によって与えることができる。
【０１８２】
Ｅ．サブフレームの位置（subframe location）を利用
本発明の実施例Ｄは、ＣＡ＋ＣｏＭＰ環境において、ＣＳＩ要求フィールドをＣｏＭＰ環境またはＣＡ環境に応じて利用するが、このＣＳＩ要求フィールドをＣｏＭＰ用として解釈するかまたはＣＡ用として解釈するかをサブフレームの位置によって決めることを提案する。
【０１８３】
例えば、本発明の実施例Ｄによれば、ＵＥは、ＣＳＩ要求が送信されたサブフレームが奇数番号（または偶数番号）のサブフレームであれば、該ＣＳＩ要求をＣｏＭＰ用ＣＳＩ要求フィールドとして解釈し、ＣＳＩ要求が送信されたサブフレームが偶数番号（または奇数番号）のサブフレームであれば、該ＣＳＩ要求をＣＡ用ＣＳＩ要求フィールドとして解釈することができる。他の例として、ＵＥは、ＣＳＩ要求が送信されたサブフレームが無線フレームにおける１０個のサブフレーム０〜９のうち、サブフレーム０〜４（または、サブフレーム５〜９）であれば、該ＣＳＩ要求をＣｏＭＰ用ＣＳＩ要求フィールドとして解釈し、ＣＳＩ要求が送信されたサブフレームがサブフレーム５〜９（または、サブフレーム０〜４）であれば、該ＣＳＩ要求をＣＡ用ＣＳＩ要求フィールドとして解釈することができる。
【０１８４】
本発明の実施例Ｅにおいて、ＣｏＭＰ用ＣＳＩ要求フィールドを本発明の実施例Ａによって与えることができる。本発明の実施例Ｅにおいて、ＣＡ用ＣＳＩ要求フィールドは、表１１および表１２に関する説明によって与えることができる。
【０１８５】
Ｆ．ＤＣＩフォーマット０／４における他のフィールドを利用
本発明の実施例Ｆは、ＣＡ＋ＣｏＭＰ環境において、ＣＳＩ要求フィールドをＣｏＭＰ環境またはＣＡ環境に応じて利用するが、該ＣＳＩ要求フィールドをＣｏＭＰ用として解釈するかまたはＣＡ用として解釈するかを、ＤＣＩフォーマット０／４における他のフィールドを用いてＵＥに知らせることを提案する。ＤＣＩフォーマット０は、一つのＵＬセルのＰＵＳＣＨのスケジューリングのために用いられ、ＤＣＩフォーマット４は、一つのＵＬセルにＰＵＳＣＨをマルチ−アンテナポート伝送モードでスケジュールするために用いられる。表１５および表１６に、ＤＣＩフォーマット０およびＤＣＩフォーマット４によって送信されうるＤＣＩをそれぞれ例示する。
【０１８６】
【表１５】
2015519855.tif 000037
【０１８７】
【表１６】
2015519855.tif 000038
【０１８８】
下記のフィールドのいずれか一つのフィールドのビットを、ＣＳＩ要求フィールドをＣｏＭＰ用として解釈するかまたはＣＡ用として解釈するかを知らせるために用いることができる。
【０１８９】
−     “Cyclic shift for DM RS and OCC index field”
ＤＣＩフォーマット０／４におけるフィールドのうち、“Cyclic shift for DM RS and OCC index”フィールドのビットを、ＣＳＩ要求フィールドをＣｏＭＰ用として解釈するかまたはＣＡ用として解釈するかを示すために用いることができる。
【０１９０】
ＣｏＭＰ＋ＣＡ環境において、ＵＥからの非周期的ＣＳＩ報告が要求される場合、ｅＮＢは、ＣＳＩ要求を上記ＵＥに送信すると同時に、“Cyclic shift for DM RS and OCC index”フィールドの１個のビットを用いて、ＣＳＩ要求フィールドをＣｏＭＰ用として解釈するかまたはＣＡ用として解釈するかを上記ＵＥに知らせる。ＵＥは、ＣｏＭＰ＋ＣＡ環境において、ＣＳＩ要求フィールドを通じて非周期的ＣＳＩ報告が要求される場合、該ＣＳＩ要求フィールドを含むＤＣＩにおける“Cyclic shift for DM RS and OCC index”フィールドの定められた１ビットを用いて、ＣＳＩ要求フィールドをＣｏＭＰ用として解釈するかＣＡ用として解釈するかを判断する。
【０１９１】
ＣＳＩ要求フィールドをＣｏＭＰ用として解釈するかまたはＣＡ用として解釈するかを知らせるためにＤＣＩフォーマット０／４の“Cyclic shift for DM RS and OCC index”フィールドを用いる他の方法として、３ビットの“Cyclic shift for DM RS and OCC index”フィールドが有し得る値によって、ＣＳＩ要求フィールドをＣｏＭＰ用として解釈するかまたはＣＡ用として解釈するかを判断する方法を提案する。例えば、“Cyclic shift for DM RS and OCC index”フィールドが有し得る値は、下記の表の通りである。
【０１９２】
【表１７】
2015519855.tif 000039
【０１９３】
表１７を参照すると、“Cyclic shift for DM RS and OCC index”フィールドが有し得る０００から１１１までの８個の値のうち、“Cyclic shift for DM RS and OCC index”フィールドの値が、特定の４個の値のうちの一つを有すると、ＵＥは、ＣＳＩ要求フィールドをＣｏＭＰ用として解釈し、“Cyclic shift for DM RS and OCC index”フィールドが残りの４個の値のうちの一つを有すると、ＵＥは、ＣＳＩ要求フィールドをＣＡ用として解釈できる。例えば、“Cyclic shift for DM RS and OCC index”フィールドの値が｛０００、００１、０１０、０１１｝のうちの一つを有すると、ＵＥは、ＣＳＩ要求フィールドをＣｏＭＰ用として解釈し、“Cyclic shift for DM RS and OCC index”フィールドの値が｛１００、１０１、１１０、１１１｝のうちの一つを有すると、ＵＥは、ＣＳＩ要求フィールドをＣＡ用として解釈できる。
【０１９４】
−     “Resource block assignment and hopping resource allocation field / Resource block assignment field”
ＤＣＩフォーマット０の“Resource block assignment and hopping resource allocation”フィールドのビットおよび／またはＤＣＩフォーマット４の“Resource block assignment”フィールドのビットを、ＣＳＩ要求フィールドをＣｏＭＰ用として解釈するかまたはＣＡ用として解釈するかを知らせるためのビットとして用いることができる。ＣｏＭＰ＋ＣＡ環境において、ＵＥからの非周期的ＣＳＩ報告が要求される場合、ｅＮＢは、ＣＳＩ要求を上記ＵＥに送信すると同時に、“Resource block assignment and hopping resource allocation”フィールド／“Resource block assignment”フィールドの１個のビットを用いて、ＣＳＩ要求フィールドをＣｏＭＰ用として解釈するかまたはＣＡ用として解釈するかを、上記ＵＥに知らせる。ＵＥは、ＣｏＭＰ＋ＣＡ環境において、ＣＳＩ要求フィールドを通じて非周期的ＣＳＩ報告が要求されると、当該ＣＳＩ要求フィールドを含むＤＣＩにおける“Resource block assignment and hopping resource allocation”フィールド／“Resource block assignment”フィールドの定められた１個のビットを用いて、ＣＳＩ要求フィールドをＣｏＭＰ用として解釈するかまたはＣＡ用として解釈するかを判断する。
【０１９５】
−     “Resource allocation type field”
“Resource allocation type”フィールドのビットが、ＣＳＩ要求フィールドをＣｏＭＰ用として解釈するかまたはＣＡ用として解釈するかを知らせるためのビットとして用いられてもよい。ＣｏＭＰ＋ＣＡ環境において、ＵＥからの非周期的ＣＳＩ報告が要求される場合、ｅＮＢは、ＣＳＩ要求を上記ＵＥに送信すると同時に、“Resource allocation type”フィールドのビットを用いて、ＣＳＩ要求フィールドをＣｏＭＰ用として解釈するかまたはＣＡ用として解釈するかを、上記ＵＥに知らせる。ＵＥは、ＣｏＭＰ＋ＣＡ環境でＣＳＩ要求フィールドを通じて非周期的ＣＳＩ報告が要求されると、当該ＣＳＩ要求フィールドを含むＤＣＩにおける“Resource allocation type”フィールドのビットを用いて、ＣＳＩ要求フィールドをＣｏＭＰ用として解釈するかまたはＣＡ用として解釈するかを判断する。“ Resource allocation type”フィールドのビットが、ＣＳＩ要求フィールドをＣｏＭＰ用として解釈するかまたはＣＡ用として解釈するかを知らせるために用いられる場合、ＰＵＳＣＨのリソース割当タイプは、あらかじめスケジュールされたデフォルトモードでもよく、ＲＲＣによって設定されたモードでもよい。或いは、以前のＰＵＳＣＨ送信で用いられたリソース割当タイプが、上記ＣＳＩ要求フィールドによってトリガされた非周期的ＣＳＩ報告を運ぶＰＵＳＣＨのリソース割当タイプとしてそのまま用いられてもよい。
【０１９６】
本発明の実施例Ｆは、図１２のように、１つまたは複数のＣｏＭＰを行うセルが存在するとき、２ビットのＣＳＩ要求フィールドを特定のセルのＣｏＭＰのためのＣＳＩ要求フィールドとして解釈するかまたはＣＡ環境でのＣＳＩ要求フィールドとして解釈するかを判断するために、ＤＣＩフォーマット０／４における他のフィールドのビットを用いることを提案する。特に、本発明の実施例Ｆは、“Cyclic shift for DM RS and OCC index”フィールドを用いて、ＣＳＩ要求フィールドを特定のセルのＣｏＭＰのためのＣＳＩ要求フィールドとして解釈するかまたはＣＡのためのＣＳＩ要求フィールドとして解釈するかを判断することを提案する。ＵＥは、３ビットの“Cyclic shift for DM RS and OCC index”フィールドが有する値によって、ＣＳＩ要求フィールドを特定のセルのＣｏＭＰのためのＣＳＩ要求フィールドとして解釈するかまたはＣＡのためのＣＳＩ要求フィールドとして解釈するかを判断する。
【０１９７】
例えば、図１２のように、ＣｏＭＰを行うセルが２個以上存在するとき、“Cyclic shift for DM RS and OCC index”フィールドが有し得る０００から１１１までの８個の値を３個のセットに分け、“Cyclic shift for DM RS and OCC index”フィールドが有する実際の値が一番目のセットに属する値のうちの一つであれば、ＵＥは、ＣＳＩ要求フィールドをｆ１セルのＣｏＭＰ環境のみを考慮したＣＳＩ要求フィールドとして解釈し、“Cyclic shift for DM RS and OCC index”フィールドが有する実際の値が二番目のセットに属する値のうちの一つであれば、ＵＥは、ＣＳＩ要求フィールドをｆ２セルのＣｏＭＰ環境のみを考慮したＣＳＩ要求フィールド、すなわち、ＣｏＭＰ用ＣＳＩ要求フィールドとして解釈し、“Cyclic shift for DM RS and OCC index”フィールドが有する実際の値が三番目のセットに属する値のうちの一つであれば、ＵＥは、ＣＳＩ要求フィールドをＣＡ環境のみを考慮したＣＳＩ要求フィールド、すなわち、ＣＡ用ＣＳＩ要求フィールドとして解釈することができる。
【０１９８】
これを拡張して、一番目のセル上からＮ番目のセル上までＣｏＭＰが行われる場合、“Cyclic shift for DM RS and OCC index”フィールドで有し得る０００から１１１までの８個の値を‘Ｎ＋１’個のセットに分け、“Cyclic shift for DM RS and OCC index”フィールドの値がｎ（１≦ｎ≦Ｎ）番目のセットに属する値のうちの一つであれば、ＵＥは、ＣＳＩ要求フィールドを、ＣｏＭＰが設定されたｎ番目のセルのＣｏＭＰ環境のみを考慮したＣＳＩ要求フィールドとして解釈し、“Cyclic shift for DM RS and OCC index”フィールドの値が‘Ｎ＋１’番目のセットに属する値のうちの一つであれば、ＵＥは、ＣＳＩ要求フィールドをＣＡ環境のみを考慮したＣＳＩ要求フィールドとして解釈することができる。
【０１９９】
本発明の実施例Ｆの場合、ＣＳＩ要求フィールドが、ＣＳＩ報告無し（no CSI report）および／または非周期的ＣＳＩ ＰＵＳＣＨを運ぶセルに対する非周期的ＣＳＩ報告を指示しない場合に限って適用されるものと制約されてもよい。
【０２００】
Ｇ．利用不可能なＣＳＩ要求のためのＣＳＩフィードバック（CSI feedback for not available CSI request）
本発明の実施例Ｇは、特定のセルに存在しないＣＳＩに対する非周期的ＣＳＩフィードバック、すなわち、非周期的ＣＳＩ報告を、サービングセルｃのＰＵＳＣＨを介して送信するように要求された場合のＵＥの動作を提案する。
【０２０１】
サービングセルａに対する一連のＣｏＭＰ ＣＳＩ、すなわち、サービングセルａのための一連のＣＳＩプロセスに対するＣＳＩフィードバックが、サービングセルｃのＰＵＳＣＨを介して送信されるように要求されると、サービングセルａのための上記一連のＣｏＭＰ ＣＳＩのすべてまたは一部に対するＣＳＩが有効でないため、フィードバックが行えない場合がある。この場合、ＵＥは、要求された一連のＣｏＭＰ ＣＳＩのすべてに対してＣＳＩフィードバックを行わなくてもよく、または、有効でない一部のＣＳＩに対するフィードバックのみを行わなくてもよい。或いは、ＵＥは、ＣｏＭＰが行われない伝送モード、例えば、伝送モード９を想定して、サービングセルａの非周期的ＣＳＩ報告（例えば、表１１の‘０１’に該当する非周期的ＣＳＩ）を行ってもよい。或いは、ＵＥは、ＣｏＭＰ ＣＳＩが有効か否かにかかわらず、サービングセルａのすべてのＣｏＭＰ ＣＳＩをフィードバックしてもよい。或いは、上位層によって設定された特定のＣＳＩをフィードバックしてもよい。または、ＵＥは、サービングセルａに対して以前要求されたＣＳＩをフィードバックしてもよい。
【０２０２】
図１３は、本発明の他の実施例を説明するための図である。
【０２０３】
ＵＥが、図１３に示すように、サービングセルｃおよびサービングセルａに接続しており、これらのセルは送信ポイント（Transmission Point；ＴＰ）Ａを介して送信されるとしよう。サービングセルｃは、複数のＴＰのＵＬ搬送波を用いてＵＬ ＣｏＭＰをサポートし、サービングセルｃのＵＬ ＣｏＭＰに参加するＴＰの一つであるＴＰ ＢのＵＬ搬送波とリンクされたＤＬ搬送波は、当該ＵＥに設定されていない場合がある。この場合、ＵＥは、サービングセルｃを通じて非周期的ＣＳＩ報告を運ぶＰＵＳＣＨを送信することを示すＰＵＳＣＨグラント、すなわち、ＵＬグラントを、サービングセルｃまたはサービングセルａを通じて受信することができる。仮に、ＵＥが自体のＰＵＳＣＨを受信するＴＰを搬送波指示（Carrier Indication；ＣＩ）などを用いて指定できるとすれば、該ＵＥは、ＴＰ Ｂを指定してＴＰ ＢにＰＵＳＣＨを送信することができる。このとき、上記ＰＵＳＣＨが割り当てられたセルのＣＳＩを送信するように非周期的ＣＳＩ報告が上記ＵＥに要求された場合、このＵＥはＴＰ ＢにＰＵＳＣＨを送信することから、ＴＰ ＢにＴＰ ＢのサービングセルｃのＵＬ搬送波とリンクされたＤＬ搬送波に対するＣＳＩ報告を送信することになる。しかし、上記ＵＥは、サービングセルｃのうちＴＰ ＢのＤＬ搬送波は使用しないため、このＤＬ搬送波に関するＣＳＩ情報をフィードバックする必要がない。この場合、上記ＵＥは、当該ＣＳＩ要求を無視し、フィードバックを全く行わなくてもよい。すなわち、この場合、当該ＣＳＩ要求に対応する非周期的ＣＳＩ報告がドロップしてもよい。或いは、上記ＵＥは、サービングセルｃのＤＬ搬送波のうち、ＰＵＳＣＨグラントを送信したＴＰであるＴＰ ＡのサービングセルｃのＤＬ搬送波に対するＣＳＩ報告を行ってもよい。
【０２０４】
図１４は、本発明を実行する送信装置１０および受信装置２０の構成要素を示すブロック図である。
【０２０５】
送信装置１０および受信装置２０は、情報および／またはデータ、信号、メッセージなどを運ぶ無線信号を送信または受信できる無線周波（Radio Frequency；ＲＦ）ユニット１３，２３と、無線通信システムにおける通信に関する各種情報を記憶するメモリ１２，２２と、ＲＦユニット１３，２３およびメモリ１２，２２などの構成要素と動作可能に接続し、これらの構成要素を制御して、該当の装置が前述の本発明の実施例のうち少なくとも一つを行うようにメモリ１２，２２および／またはＲＦユニット１３，２３を制御するように構成されたプロセッサ１１，２１と、をそれぞれ含む。
【０２０６】
メモリ１２，２２は、プロセッサ１１，２１の処理および制御のためのプログラムを格納することができ、入／出力される情報を一時的に記憶することができる。メモリ１２，２２がバッファとして利用されてもよい。
【０２０７】
プロセッサ１１，２１は、通常、送信装置または受信装置における各種モジュールの全般的な動作を制御する。特に、プロセッサ１１，２１は、本発明を実行するための各種の制御機能を果たすことができる。プロセッサ１１，２１は、コントローラ（controller）、マイクロコントローラ（microcontroller）、マイクロプロセッサ（microprocessor）、マイクロコンピュータ（microcomputer）などと呼ぶことができる。プロセッサ１１，２１は、ハードウェア（hardware）、ファームウェア（firmware）、ソフトウェア、またはこれらの結合によって具現することができる。ハードウェアを用いて本発明を具現する場合には、本発明を実行するように構成された特定用途集積回路（Application Specific Integrated Circuit；ＡＳＩＣ）、デジタル信号プロセッサ（Digital Signal Processor；ＤＳＰ）、デジタル信号処理装置（Digital Signal Processing Device；ＤＳＰＤ）、プログラマブルロジックデバイス（Programmable Logic Device；ＰＬＤ）、フィールドプログラマブルゲートアレイ（Field Programmable Gate Arrays；ＦＰＧＡ）などをプロセッサ４００ａ，４００ｂに備えることができる。一方、ファームウェアやソフトウェアを用いて本発明を具現する場合には、本発明の機能または動作を実行するモジュール、手順または関数などを含むようにファームウェアやソフトウェアを構成することができる。本発明を実行できるように構成されたファームウェアまたはソフトウェアは、プロセッサ１１，２１内に設けられてもよく、メモリ１２，２２に格納されてプロセッサ１１，２１によって駆動されてもよい。
【０２０８】
送信装置１０のプロセッサ１１は、プロセッサ１１またはプロセッサ１１に接続されたスケジューラからスケジューリングされて外部に送信される信号および／またはデータに対して所定の符号化（coding）および変調（modulation）を行った後、ＲＦユニット１３に伝送する。例えば、プロセッサ１１は、送信しようとするデータ列を逆多重化、チャネル符号化、スクランブリング、変調過程などを経てＫ個のレイヤに変換する。符号化されたデータ列は、コードワードと呼ばれることもあり、ＭＡＣ層が提供するデータブロックである伝送ブロックと等価である。一つの伝送ブロック（Transport Block；ＴＢ）は一つのコードワードに符号化され、各コードワードは、一つまたは複数のレイヤの形態で受信装置に送信される。周波数アップ変換のために、ＲＦユニット１３はオシレータ（oscillator）を含むことができる。ＲＦユニット１３は、Ｎt個（Ｎtは１以上の正の整数）の送信アンテナを含むことができる。
【０２０９】
受信装置２０の信号処理過程は、送信装置１０の信号処理過程の逆となる。プロセッサ２１の制御下で、受信装置２０のＲＦユニット２３は、送信装置１０によって送信された無線信号を受信する。ＲＦユニット２３は、Ｎr個の受信アンテナを含むことができ、ＲＦユニット２３は、受信アンテナを介して受信された信号のそれぞれを周波数ダウン変換（frequency down-convert）して基底帯域信号に復元する。ＲＦユニット２３は、周波数ダウン変換のためにオシレータを含むことができる。プロセッサ２１は、受信アンテナを介して受信した無線信号に対する復号（decoding）および復調（demodulation）を行って、送信装置１０が本来送信しようとしたデータを復元することができる。
【０２１０】
ＲＦユニット１３，２３は、一つまたは複数のアンテナを備える。アンテナは、プロセッサ１１，２１の制御下で、本発明の一実施例によって、ＲＦユニット１３，２３によって処理された信号を外部に送信したり、外部から無線信号を受信して、ＲＦユニット１３，２３に伝達する機能を果たす。アンテナは、アンテナポートと呼ぶこともできる。各アンテナは、一つの物理アンテナに該当してもよく、一つより多い物理アンテナ要素（element）の組合せによって構成されてもよい。各アンテナから送信された信号は、受信装置２０でそれ以上分解されない。該当のアンテナに対応して送信された参照信号（Reference Signal；ＲＳ）は、受信装置２０の観点で見たアンテナを定義し、チャネルが一つの物理アンテナからの単一（single）無線チャネルであるか、或いは上記アンテナを含む複数の物理アンテナ要素からの合成（composite）チャネルであるかに関係なく、受信装置２０にとっての上記アンテナに対するチャネル推定を可能にする。すなわち、アンテナは、上記アンテナ上のシンボルを伝達するチャネルが上記同一アンテナ上の異なるシンボルが伝達される上記チャネルから導出され得るように定義される。複数のアンテナを用いてデータを送受信する多重入出力（ＭＩＭＯ）機能をサポートするＲＦユニットの場合は、２個以上のアンテナと接続されてもよい。
【０２１１】
本発明の実施例において、ＵＥは、上りリンクでは送信装置１０として動作し、下りリンクでは受信装置２０として動作する。本発明の実施例において、ｅＮＢは、上りリンクでは受信装置２０として動作し、下りリンクでは送信装置１０として動作する。以下、ＵＥに備えられたプロセッサ、ＲＦユニットおよびメモリを、ＵＥプロセッサ、ＵＥ ＲＦユニットおよびＵＥメモリとそれぞれ称し、ｅＮＢに備えられたプロセッサ、ＲＦユニットおよびメモリを、ｅＮＢプロセッサ、ｅＮＢ ＲＦユニットおよびｅＮＢメモリとそれぞれ称する。
【０２１２】
本発明の実施例によって、ｅＮＢプロセッサは、上位層信号、ＰＤＣＣＨおよび／またはＰＤＳＣＨを生成し、該生成された上位層信号、ＰＤＣＣＨおよび／またはＰＤＳＣＨを送信するようにｅＮＢ ＲＦユニットを制御することができる。ｅＮＢプロセッサは、特定のセルにおける上りリンク送信のためのＤＣＩ内のＣＳＩ要求フィールドを、本発明の実施例のいずれか一つによって設定（set）することができる。例えば、ＤＣＩの対象ＵＥがＣｏＭＰモードとして設定された場合、すなわち、上記ＵＥがサービングセル別に一つまたは複数のＣＳＩプロセスで設定されうる場合、本発明の実施例のいずれか一つによって、ＤＣＩのＣＳＩ要求フィールドを設定（set）することができる。ｅＮＢプロセッサは、ＤＣＩをＰＵＣＣＨ上で送信するようにｅＮＢ ＲＦユニットを制御することができる。ＵＥプロセッサは、上位層信号、ＰＤＣＣＨおよび／またはＰＤＳＣＨを受信するようにＵＥ ＲＦユニットを制御する。ＵＥプロセッサは、ＰＤＣＣＨ上で特定のセルに対するＤＣＩを受信することができる。上記ＤＣＩがＣＳＩ要求フィールドを含み、ＵＥに上記上位層信号によってＣｏＭＰモードが設定された場合、すなわち、上記ＵＥがサービングセル別に一つまたは複数のＣＳＩプロセスで設定されうる場合、ＵＥプロセッサは、上記ＣＳＩ要求フィールドを本発明の実施例のいずれか一つによって判断する。例えば、表１３を参照すると、ＣｏＭＰモードとして設定されたＵＥのＲＦユニットが受信した、特定のサービングセルに関するＤＣＩに含まれたＣＳＩ要求フィールドの値が‘０１’であれば、ＵＥプロセッサは、上記特定のサービングセルに対して設定されたＣＳＩプロセスのうち、上位層（例えば、ＲＲＣ）によって設定された一連のＣＳＩプロセス（a set of CSI process(es)）に対する非周期的ＣＳＩ報告を送信するようにＵＥ ＲＦユニットを制御できる。このＵＥプロセッサは、上記ＤＣＩを受信したサブフレームがサブフレームｎであれば、サブフレームｎ＋ｋで上記特定のサービングセルにＰＵＳＣＨ上で上記非周期的ＣＳＩ報告を送信するように上記ＲＦユニットを制御する。ＦＤＤのためのｋ＝４であり、ＴＤＤのためのｋは、表１１によって与えることができる。上記ＰＵＳＣＨは、上記ＤＣＩによって上記特定のセルに割り当てられたものである。上記ＤＣＩを運ぶＰＤＣＣＨのサービングセルが、上記非周期的ＣＳＩ報告の送信に用いられる上記特定のサービングセルと異なっても、本発明の実施例を適用することができる。
【０２１３】
以上開示された本発明の好適な実施例に関する詳細な説明は、当業者が本発明を具現し実施できるように提供されている。上記では本発明の好適な実施例を参照して説明したが、当該技術分野における熟練した当業者には、添付した特許請求の範囲に記載された本発明の思想および領域から逸脱しない範囲内で、本発明を様々に修正および変更できることが理解されるであろう。したがって、本発明は、ここに開示された実施の形態に制限されるものではなく、ここに開示された原理および新規な特徴と一致する最も広い範囲を与えるためのものである。
【産業上の利用可能性】
【０２１４】
本発明の実施例は、無線通信システムにおいて、基地局、ユーザ機器、またはその他の装備に適用可能である。
【図１】
2015519855.tif 000040
【図２】
2015519855.tif 000041
【図３】
2015519855.tif 000042
【図４】
2015519855.tif 000043
【図５】
2015519855.tif 000044
【図６】
2015519855.tif 000045
【図７】
2015519855.tif 000046
【図８】
2015519855.tif 000047
【図９】
2015519855.tif 000048
【図１０】
2015519855.tif 000049
【図１１】
2015519855.tif 000050
【図１２】
2015519855.tif 000051
【図１３】
2015519855.tif 000052
【図１４】
2015519855.tif 000053
【手続補正書】
【提出日】平成26年12月16日(2014.12.16)
【手続補正１】
【補正対象書類名】明細書
【補正対象項目名】００３６
【補正方法】変更
【補正の内容】
【００３６】
本発明において、ＣＲＳポート、ＵＥ−ＲＳポート、ＣＳＩ−ＲＳポートとは、それぞれ、ＣＲＳを送信するように設定された（configured）アンテナポート、ＣＳＩ−ＲＳを送信するように設定されたアンテナポート、ＵＥ−ＲＳを送信するように設定されたアンテナポートを意味する。ＣＲＳを送信するように設定されたアンテナポートは、ＣＲＳポートによってＣＲＳが占有するＲＥの位置によって相互に区別でき、ＵＥ−ＲＳを送信するように設定されたアンテナポートは、ＵＥ−ＲＳポートによってＵＥ−ＲＳが占有するＲＥの位置によって相互に区別でき、ＣＳＩ−ＲＳを送信するように設定されたアンテナポートは、ＣＳＩ−ＲＳポートによってＣＳＩ−ＲＳが占有するＲＥの位置によって相互に区別できる。そのため、ＣＲＳ／ＵＥ−ＲＳ／ＣＳＩ−ＲＳポートという用語が一定のリソース領域内でＣＲＳ／ＵＥ−ＲＳ／ＣＳＩ−ＲＳが占有するＲＥのパターンを意味する用語として用いられることもある。
【手続補正２】
【補正対象書類名】明細書
【補正対象項目名】０１８０
【補正方法】変更
【補正の内容】
【０１８０】
代替として、本発明の実施例Ｄは、ＣＡ＋ＣｏＭＰ環境におけるＣＳＩ要求フィールドを設定する方法として、本発明では、一つのＣｏＭＰセルに非周期的ＣＳＩ ＰＵＳＣＨがトリガされる場合は、ＣＳＩ要求フィールドを当該セルにおけるＣｏＭＰ用ＣＳＩ要求フィールドとして解釈し、非−ＣｏＭＰセルに非周期的ＣＳＩ ＰＵＳＣＨがトリガされる場合は、ＣＳＩ要求フィールドをＣＡ用ＣＳＩ要求フィールドとして解釈することを提案する。図１２を参照すると、１つまたは複数のＣｏＭＰを行うセル、すなわち、ＣｏＭＰモードが設定されたセルが存在するとき、ｆ１セルに対して非周期的ＣＳＩ ＰＵＳＣＨがトリガされる場合は、ＣＳＩ要求フィールドを、ｆ１セルのＣｏＭＰ環境のみを考慮してＣｏＭＰ用ＣＳＩ要求フィールドとして解釈し、ｆ２セルに対して非周期的ＣＳＩ ＰＵＳＣＨがトリガされる場合は、ＣＳＩ要求フィールドを、ｆ２セルのＣｏＭＰ環境のみを考慮してＣｏＭＰ用ＣＳＩ要求フィールドとして解釈し、ｆ３セルに対して非周期的ＣＳＩ ＰＵＳＣＨがトリガされる場合は、ＣＳＩ要求フィールドを、ＣＡ用ＣＳＩ要求フィールドとして解釈することを提案する。
【手続補正３】
【補正対象書類名】明細書
【補正対象項目名】０１８２
【補正方法】変更
【補正の内容】
【０１８２】
Ｅ．サブフレームの位置（subframe location）を利用
本発明の実施例Ｅは、ＣＡ＋ＣｏＭＰ環境において、ＣＳＩ要求フィールドをＣｏＭＰ環境またはＣＡ環境に応じて利用するが、このＣＳＩ要求フィールドをＣｏＭＰ用として解釈するかまたはＣＡ用として解釈するかをサブフレームの位置によって決めることを提案する。
【手続補正４】
【補正対象書類名】明細書
【補正対象項目名】０１８３
【補正方法】変更
【補正の内容】
【０１８３】
例えば、本発明の実施例Ｅによれば、ＵＥは、ＣＳＩ要求が送信されたサブフレームが奇数番号（または偶数番号）のサブフレームであれば、該ＣＳＩ要求をＣｏＭＰ用ＣＳＩ要求フィールドとして解釈し、ＣＳＩ要求が送信されたサブフレームが偶数番号（または奇数番号）のサブフレームであれば、該ＣＳＩ要求をＣＡ用ＣＳＩ要求フィールドとして解釈することができる。他の例として、ＵＥは、ＣＳＩ要求が送信されたサブフレームが無線フレームにおける１０個のサブフレーム０〜９のうち、サブフレーム０〜４（または、サブフレーム５〜９）であれば、該ＣＳＩ要求をＣｏＭＰ用ＣＳＩ要求フィールドとして解釈し、ＣＳＩ要求が送信されたサブフレームがサブフレーム５〜９（または、サブフレーム０〜４）であれば、該ＣＳＩ要求をＣＡ用ＣＳＩ要求フィールドとして解釈することができる。
【国際調査報告】
2015519855.tif 000054
2015519855.tif 000055
2015519855.tif 000056
2015519855.tif 000057